(57)【要約】【課題】弾球遊技機において、適切なタイミングで大当り中の獲得球数の計数を開始可能とする。【解決手段】大当り後に通常遊技状態よりも遊技者に有利な特別遊技状態の発生契機となる特別大当りを含む複数種類の大当りを実行可能な弾球遊技機において、遊技者が前記大当り中に獲得した獲得球数を計数するための大当り中獲得球数計数手段（Ｓ７０７）と、前記獲得球数を遊技者に報知するための獲得球数報知手段（Ｓ７０９）と、を有し、大当り中獲得球数計数手段（Ｓ７０７）は、前記特別大当りの発生を条件として前記計数を開始し、かつ前記特別遊技状態中に前記大当りが抽選された場合、その大当りが発生したことを条件として、当該大当り発生直前の獲得球数に当該大当り中に計数される獲得球数を加算して、その結果を現在の獲得球数とする。【選択図】図２０
2010075436.tif 000002
【特許請求の範囲】
【請求項１】
遊技球発射装置から発射された遊技球が流下する遊技領域に配置された特別図柄始動口を含む複数種類の入賞口と、
前記特別図柄始動口に遊技球が入賞したことを条件として通常遊技状態よりも遊技者に有利な大当り遊技に移行する大当りとするか否かを抽選するものであって、大当り後に前記通常遊技状態よりも遊技者に有利な特別遊技状態の発生契機となる特別大当りを含む複数種類の大当りのうちからいずれかの大当りを抽選する大当り抽選手段と、
前記大当り抽選手段により大当りが抽選されたことを条件として、前記大当りを発生させて前記大当り遊技を実行制御する大当り遊技制御手段と、
前記入賞口に遊技球が入賞したことを条件として、各入賞口別に約束づけられた入賞球１個当りの所定の賞球数を払い出すための賞球払出手段と、
前記大当り中に遊技者が前記入賞により獲得した獲得球数を計数する大当り中獲得球数計数手段と、
前記特別大当り後に前記特別遊技状態を発生させる特別遊技発生手段と、
前記獲得球数を遊技者に報知するための獲得球数報知手段と、を備え、
前記大当り中獲得球数計数手段は、
前記特別大当りの発生を条件として前記計数を開始し、かつ前記特別遊技状態中に前記大当りが抽選された場合、その大当りが発生したことを条件として、当該大当り発生直前の獲得球数に当該大当り中に計数される獲得球数を加算して、その結果を現在の獲得球数とする、ことを特徴とする弾球遊技機。
【請求項２】
さらに、前記特別遊技状態中に遊技者が前記入賞により獲得した獲得球数を計数する特別遊技中獲得球数計数手段を有し、
前記特別遊技中獲得球数計数手段は、前記特別遊技状態発生直前の獲得球数に当該特別遊技状態中に計数される獲得球数を加算して、その結果を現在の獲得球数とする、ことを特徴とする請求項１に記載の弾球遊技機。
【請求項３】
さらに、前記獲得球数をクリアする獲得球数クリア手段を有し、
前記獲得球数クリア手段は、前記大当りを除く前記特別遊技状態以外の遊技状態に移行したことを条件として、前記獲得球数をクリアする、ことを特徴とする請求項１または２に記載の弾球遊技機。
【請求項４】
前記特別大当りには、第１群に属する特別大当りおよび第２群に属する特別大当りが含まれ、
前記大当り遊技制御手段は、前記第１群に属する特別大当りの方が前記第２群に属する特別大当りよりも相対的に多くの賞球数を遊技者が獲得可能な大当りを発生させ、
前記大当り中獲得球数計数手段は、前記第１群に属する特別大当りが発生したことを条件として前記計数を開始し、かつ前記特別遊技状態中に前記大当りが抽選された場合、その大当りが発生したことを条件として、当該大当り発生直前の獲得球数に当該大当り中に計数される獲得球数を加算して、その結果を現在の獲得球数とする、ことを特徴とする請求項１〜３のいずれかに記載の弾球遊技機。
【請求項５】
前記獲得球数報知手段は、前記大当り中の期間内で所定の表示条件が成立したことを条件に前記獲得球数を報知する、ことを特徴とする請求項１〜４のいずれかに記載の弾球遊技機。
【請求項６】
前記獲得球数報知手段は、前記大当り遊技が終了したことを条件として前記獲得球数を報知する、ことを特徴とする請求項１〜４のいずれかに記載の弾球遊技機。
【請求項７】
前記獲得球数報知手段は、前記獲得球数があらかじめ定めた所定個数を超えることを条件として、その所定個数を遊技者が獲得した獲得球数として報知する、ことを特徴とする請求項１〜６のいずれかに記載の弾球遊技機。
【請求項８】
前記獲得球数報知手段は、前記獲得球数があらかじめ定めた所定個数を超える毎に、その所定個数を、遊技者が獲得した獲得球数として報知する、ことを特徴とする請求項１〜６のいずれかに記載の弾球遊技機。
【発明の詳細な説明】
【技術分野】
【０００１】
本発明は弾球遊技機に関し、詳細には遊技者が獲得した獲得球数を報知し得る弾球遊技機に関するものである。
【背景技術】
【０００２】
従来、遊技中の遊技者に、ある時点における遊技球の獲得球数情報を報知するようにした弾球遊技機が知られている。
【０００３】
たとえば、特許文献１においては、大当り発生時点からの各入賞口への入賞球数に基づいて算出される払出賞球総数から、大当り発生時点からの経過時間（大当り継続時間Ｔ分）に基づいて算出される推定打出球総数（発射総数）を差し引くことにより、遊技者の獲得球数（獲得球数推定値）を求め、その獲得球数推定値に対応させた異なるキャラクタを画像表示装置に表示する。これにより獲得球数の概略をリアルタイムに、明確かつ容易に報知する。
【０００４】
ところで近年では、遊技性を向上させるべく、複数種類の大当りを実行可能に構成された弾球遊技機が主流となっている。上記複数種類の大当りには、たとえば、大当り中に大入賞口の開放および閉鎖を繰り返す、という大当り遊技動作を１５回繰り返し実行して遊技者が大量の遊技球を獲得可能とする大当り（いわゆる「１５ラウンド大当り」）や、これとは異なり上記大当り遊技動作を２回しか実行しない大当り（いわゆる「２ラウンド大当り」）等があり、その種類は多岐に亘る。またこれらの大当り後には、その大当りの種類に応じて遊技者に有利な特殊遊技状態が付与されるものがある。この特殊遊技状態には、たとえば、いわゆる「時短状態」や「確変時短状態」や「潜伏確変状態」があり、その種類も多岐に亘る。
【０００５】
上述した大当りは、上記特殊遊技状態のなかでもある特別な特殊遊技状態（特別遊技状態）中に大当りを引き続けることにより連荘となる。つまり、上記特別遊技状態中では、遊技者は持ち玉を減らすことなく大当りを引くチャンスとなる。このように同じ大当りとされた場合であっても、その後にどのような特殊遊技状態に移行するかで、遊技球数を増加させるチャンスが変化することになる。遊技球数の増加は、遊技者の遊技意欲を向上させる大きな要因であり、遊技者の最大の関心事の一つは、連荘中にどの程度の遊技球が獲得できたかにあるとも言える。
【特許文献１】特開２００３−７１０４６号公報
【発明の開示】
【発明が解決しようとする課題】
【０００６】
しかし上記特許文献１では、上記複数種類の大当り弾球遊技機については考慮されておらず、上記特別遊技状態以外からの大当り、たとえば通常遊技状態からの大当りが連荘チャンスとなり得る大当りではない場合であっても、その大当り開始時点から獲得球数を求めてこれを逐一報知するので、煩わしいという問題がある。
【０００７】
そこで本発明の目的は、大当りがどのような特殊遊技状態の発生契機となる大当りであるかに着目し、獲得球数の計数開始タイミングを大当りの種類に基づいて決定し、連荘中の獲得球数を適切に求めてこれを報知することができる弾球遊技機を提供することにある。
【課題を解決するための手段】
【０００８】
本発明の上記目的は、下記の手段によって達成される。
【０００９】
（１）遊技球発射装置から発射された遊技球が流下する遊技領域に配置された特別図柄始動口を含む複数種類の入賞口と、
前記特別図柄始動口に遊技球が入賞したことを条件として通常遊技状態よりも遊技者に有利な大当り遊技に移行する大当りとするか否かを抽選するものであって、大当り後に前記通常遊技状態よりも遊技者に有利な特別遊技状態の発生契機となる特別大当りを含む複数種類の大当りのうちからいずれかの大当りを抽選する大当り抽選手段と、
前記大当り抽選手段により大当りが抽選されたことを条件として、前記大当りを発生させて前記大当り遊技を実行制御する大当り遊技制御手段と、
前記入賞口に遊技球が入賞したことを条件として、各入賞口別に約束づけられた入賞球１個当りの所定の賞球数を払い出すための賞球払出手段と、
前記大当り中に遊技者が前記入賞により獲得した獲得球数を計数する大当り中獲得球数計数手段と、
前記特別大当り後に前記特別遊技状態を発生させる特別遊技発生手段と、
前記獲得球数を遊技者に報知するための獲得球数報知手段と、を備え、
前記大当り中獲得球数計数手段は、
前記特別大当りの発生を条件として前記計数を開始し、かつ前記特別遊技状態中に前記大当りが抽選された場合、その大当りが発生したことを条件として、当該大当り発生直前の獲得球数に当該大当り中に計数される獲得球数を加算して、その結果を現在の獲得球数とする、ことを特徴とする弾球遊技機。
【００１０】
（２）さらに、前記特別遊技状態中に遊技者が前記入賞により獲得した獲得球数を計数する特別遊技中獲得球数計数手段を有し、
前記特別遊技中獲得球数計数手段は、前記特別遊技状態発生直前の獲得球数に当該特別遊技状態中に計数される獲得球数を加算して、その結果を現在の獲得球数とする、ことを特徴とする上記（１）に記載の弾球遊技機。
【００１１】
（３）さらに、前記獲得球数をクリアする獲得球数クリア手段を有し、
前記獲得球数クリア手段は、前記大当りを除く前記特別遊技状態以外の遊技状態に移行したことを条件として、前記獲得球数をクリアする、ことを特徴とする上記（１）または（２）に記載の弾球遊技機。
【００１２】
（４）前記特別大当りには、第１群に属する特別大当りおよび第２群に属する特別大当りが含まれ、
前記大当り遊技制御手段は、前記第１群に属する特別大当りの方が前記第２群に属する特別大当りよりも相対的に多くの賞球数を遊技者が獲得可能な大当りを発生させ、
前記大当り中獲得球数計数手段は、前記第１群に属する特別大当りが発生したことを条件として前記計数を開始し、かつ前記特別遊技状態中に前記大当りが抽選された場合、その大当りが発生したことを条件として、当該大当り発生直前の獲得球数に当該大当り中に計数される獲得球数を加算して、その結果を現在の獲得球数とする、ことを特徴とする上記（１）〜（３）のいずれかに記載の弾球遊技機。
【００１３】
（５）前記獲得球数報知手段は、前記大当り中の期間内で所定の表示条件が成立したことを条件に前記獲得球数を報知する、ことを特徴とする上記（１）〜（４）のいずれかに記載の弾球遊技機。
【００１４】
（６）前記獲得球数報知手段は、前記大当り遊技が終了したことを条件として前記獲得球数を報知する、ことを特徴とする上記（１）〜（４）のいずれかに記載の弾球遊技機。
【００１５】
（７）前記獲得球数報知手段は、前記獲得球数があらかじめ定めた所定個数を超えることを条件として、その所定個数を遊技者が獲得した獲得球数として報知する、ことを特徴とする上記（１）〜（６）のいずれかに記載の弾球遊技機。
【００１６】
（７）前記獲得球数報知手段は、前記獲得球数があらかじめ定めた所定個数を超える毎に、その所定個数を、遊技者が獲得した獲得球数として報知する、ことを特徴とする上記（１）〜（６）のいずれかに記載の弾球遊技機。
【発明の効果】
【００１７】
本発明によれば、大当りがどのような特殊遊技状態の発生契機となる大当りであるかに基づいて獲得球数の計数開始タイミングを定めている。このため、複数種類の大当りが設けられた弾球遊技機であっても、従来のようにいたずらにすべての大当り中の獲得球数を計数してこれを報知するのではなく、連荘中の獲得球数を適切に計数してこれを報知することができる。
【発明を実施するための最良の形態】
【００１８】
以下、図面を参照しながら、本発明に係る弾球遊技機の実施形態について詳細に説明する。なお、本実施形態では、本発明に係る弾球遊技機として、パチンコ遊技機を例にとって説明する。
【００１９】
［実施形態：図１〜図２３］
図１は、本発明に係る遊技機の一例である弾球遊技機の外観を示す正面側の斜視図、図２はその裏面側の斜視図、そして図３は遊技盤面を示す正面図である。
【００２０】
図１および図２に示すように、本発明の実施形態に係るパチンコ遊技機１は、木製の外枠４の前面に額縁状の前面枠２を開閉可能に取り付け、前面枠２の裏面に取り付けた遊技盤収納フレーム（図示せず）内に遊技盤３を装着し、この遊技盤３の表面に形成した遊技領域３ａを前面枠２の開口部に臨ませた構成を有する。上記遊技領域３ａは、遊技盤３の面上に配設した球誘導レール５（図３参照）で囲まれた領域からなる。この遊技領域３ａの前側に、透明ガラスを支持したガラス扉枠６が設けられている。
【００２１】
またパチンコ遊技機１は、ガラス扉枠６の下側に配設された前面操作パネル７を有している。
【００２２】
前面操作パネル７には上受け皿ユニット８が設けられ、この上受け皿ユニット８には、排出された遊技球を貯留する上受け皿９が形成されている。前面操作パネル７には、球貸しボタン１１およびプリペイドカード排出釦１２（カード返却釦１２）が設けられている。また、上受け皿９の上皿表面部分には、所属の押しボタンセンサが有効なときに押すと演出効果が変化する枠演出ボタン１３が設けられている。この上受け皿９には、上受け皿９に貯留された遊技球を遊技機の下方に抜くための球抜きボタン１４が設けられている。
【００２３】
また、前面操作パネル７の右端部側には、発射ユニットを作動させるための発射操作ハンドル１５が設けられている。また、前面枠２の上部の両側、発射操作ハンドル１５の上側には、効果音を発生するスピーカ５８が設けられている。またさらに、ガラス扉枠６の各所には、光の装飾により演出効果を現出する装飾ランプ４５が設けられている。
【００２４】
図２に示すように、パチンコ遊技機１の背面には、遊技盤収納フレームを覆って遊技盤３を裏側から押さえる枠体状の裏機構盤１６が取り付けられ、これにより遊技盤３と前面枠２とが一体化されている。この裏機構盤１６の上部の一側寄りには、パチンコホール側島設備の遊技球補給装置（図示せず）から供給される遊技球を貯留する遊技球貯留タンク１７が設けられている。また、遊技球貯留タンク１７から球を導出するタンクレール１８の傾斜下端に接続して、遊技球を払い出すための遊技球払出装置１９を設けてある。さらに、裏機構盤１６の上部の他側隅部には、パチンコホール全体の遊技機を統括的に管理する管理用コンピュータ（図示せず）に電気的に接続するための外部端子基板２１が端子基板ケース２２に収めて設けられている。
【００２５】
また、裏機構板の略中央には、遊技盤３の裏側に装着された裏カバーが嵌合しており、この裏カバーに装着された透明ケース２３（副制御基板ケース２３）の内部には、演出制御基板２４と液晶制御基板２５が設けられている。副制御基板ケース２３の下方には、裏カバーに装着された透明ケース２６（主制御基板ケース２６）に収めた状態で主制御基板２７が設けてある。さらに主制御基板ケース２６の下方には、透明ケース２８（払出制御基板ケース２８）に収めた状態で払出制御基板２９が設けてあると共に、透明ケース３０（電源基板ケース３０）に収めた状態で電源基板３１が配設されている。さらにまた、発射操作ハンドル１５に対応する位置には、遊技球を打撃する打撃槌やこれを駆動する発射モータを備えた発射装置（遊技球発射装置）３２（図４参照）の後側に発射制御基板３３が設けられている。
【００２６】
次に、遊技盤３の遊技領域３ａについて説明する。図３に示すように、遊技領域３ａには、遊技に供する遊技部品として、発射された遊技球を誘導するための球誘導レール５、上始動口３４（第１の特別図柄始動口３４）、下始動口３５（第２の特別図柄始動口３５）、画像表示装置としての液晶表示装置３６、普通図柄始動口３７、特別図柄表示装置３８、普通図柄表示装置３９、普通変動入賞装置４１、特別変動入賞装置４２、一般入賞口４３、センター飾り４８、遊技球の落下方向変換部材としての風車４４や複数の遊技くぎ（図示せず）、複数の発光装置（ランプ、ＬＥＤ等：図示せず）が配設されている。
【００２７】
上始動口３４（第１特別図柄始動口３４）は、通過する遊技球（入賞球）を検出する特別図柄始動口センサ３４ａ（図４参照）を有する。この特別図柄始動口センサ３４ａにより遊技球が検出されることに基づき特別図柄変動表示ゲームが開始され、一定時間経過後に、その特別図柄変動表示ゲームの結果を、特別図柄表示装置３８に表示する。
【００２８】
特別図柄表示装置３８は、たとえば７セグを３桁に並べたものから構成される。遊技球が上始動口３４または後述する下始動口３５に入賞したことに伴い、所定の始動信号が発生される。この始動信号に基づき、主制御基板２７（主演算処理装置：図４参照）において乱数抽選による大当り抽選が行なわれる。この抽選結果に応じて特別図柄（たとえば、図柄、数字、記号）を特別図柄表示装置３８に変動表示させ、上記特別図柄変動表示ゲームを行うようになっている。特別図柄表示装置３８が所定の停止表示態様（たとえば、３個の７セグが全て「７」表示状態）となった場合、すなわち上記抽選結果が「大当り」であった場合、開放扉４２ｂを駆動させるための特別変動入賞装置ソレノイド４２ａ（図４参照）が作動し、開放扉４２ｂが開いて大入賞口４０が開放され、通常の遊技状態（以下、「通常遊技」と称する）よりも遊技者に有利な特別遊技状態（大当り遊技）が発生する。この大当り遊技では、特別変動入賞装置４２の開放扉４２ｂが、所定時間（たとえば２９秒）開放して大入賞口４０が開放されるか、または所定個数（たとえば１０個）の遊技球が特別変動入賞装置４２に入賞するまで（大入賞口センサ４０ａ（図４参照）により所定個数の入賞球が検出されるまで）大入賞口４０が開放され、その後、所定時間（たとえば２秒）開放扉４２ｂが閉まり大入賞口４０を閉鎖する、といった動作が所定回数（たとえば最大１５回（１５ラウンド））繰り返されるようになっている。
【００２９】
普通図柄始動口３７はゲート型形状で構成されており、通過する遊技球を検出する普通図柄始動口センサ３７ａ（図４参照）を有する。普通図柄始動口３７に遊技球が通過したことに基づき普通図柄変動表示ゲームが開始され、２個のＬＥＤ３９からなる普通図柄表示装置３９が点滅等の変動表示を行い、一定時間経過後に、その普通図柄変動表示ゲームの結果を、ＬＥＤ３９の点灯と非点灯の組合せまたは双方点灯の組合せにて停止表示する。
【００３０】
普通変動入賞装置４１は左右一対の可動翼片４７（可動部材に相当する）を具備するいわゆるチューリップ型の電動役物として構成されている。この左右の可動翼片４７の未作動時には、下始動口３５への遊技球の入球が困難または不可能となるように閉じた状態を保持している。普通図柄変動表示ゲームの結果、上記した普通図柄表示装置３９が所定の停止表示態様（たとえば、２個のＬＥＤ３９が双方共に点灯状態）となった場合、すなわち上記抽選結果が「補助当り」であった場合には、左右の可動翼片４７を駆動させるための普通変動入賞装置ソレノイド４１ａ（図４参照）が作動し、上記可動翼片４７が逆「ハ」の字状に開いて下始動口３５（第２の特別図柄始動口３５）が開放または拡大されて、下始動口３５に遊技球が流入しやすい状態となり、遊技者に有利な遊技状態である補助遊技が発生する。すなわち、下始動口３５に遊技球が入賞する確率が増加する。この補助遊技では、普通変動入賞装置４１の可動翼片４７が、所定時間（たとえば０．２秒）開放して下始動口３５が開放されるか、または所定個数（たとえば５個）の遊技球が普通変動入賞装置４１に入賞するまで（特別図柄始動口センサ３５ａ（図４参照）により所定個数の入賞球が検出されるまで）下始動口３５が開放され、その後、所定時間（たとえば０．５秒）可動翼片４７が閉まり下始動口３５を閉鎖する、といった動作が所定回数（たとえば最大２回）繰り返されるようになっている。
【００３１】
下始動口３５は、通過する遊技球を検出する特別図柄始動口センサ３５ａ（図４参照）を有する。この特別図柄始動口センサ３５ａにより遊技球が検出されることに基づき上記特別図柄変動表示ゲームが開始され、一定時間経過後に、その特別図柄変動表示ゲームの結果を、特別図柄表示装置３８に表示する。
【００３２】
画像表示装置は、ここでは遊技盤３の略中央部に配設された液晶表示装置（ＬＣＤ：Ｌｉｑｕｉｄ  Ｃｒｙｓｔａｌ  Ｄｉｓｐｌａｙ）３６からなるが、これに限らず、電子ペーパを用いた表示装置、回転式ドラムによる表示装置、７セグによる表示装置、プラズマディスプレイ（ＰＤＰ：Ｐｌａｓｍａ  Ｄｉｓｐｌａｙ  Ｐａｎｅｌ）等であっても良く、またはこれらを組合せたものであっても良い。この液晶表示装置３６は、後述する液晶制御基板２５（図４参照）の制御の下で、種々の演出を画像で表示させる。すなわち、特別図柄変動表示ゲームでの抽選結果を反映させた演出を生じさせ、特別図柄表示装置３８における特別図柄の変動表示と連動するように装飾図柄（たとえば、図柄、数字、記号）を３列に変動表示させて、装飾図柄変動表示ゲームを現出させる。特別図柄表示装置３８での特別図柄変動表示ゲームの結果が「大当り」であった場合、この液晶表示装置３６の装飾図柄変動表示ゲームの結果も「大当り」の演出となり、所定の表示態様（たとえば、３個の「７」の数字が揃って停止表示した状態）が現出される。
【００３３】
なお、特別図柄変動表示ゲームまたは普通図柄変動表示ゲームを行う最中に、さらに特別図柄始動口センサ３４ａ、３５ａまたは普通図柄始動口センサ３７ａからの検出信号の入力がある場合には、この検出信号に基づいて各変動表示ゲームを行わせるための始動権利に関するデータである始動記憶（いわゆる、作動保留球数）を、変動表示中にかかわるものを除き、上限の所定個数まで記憶され、この始動記憶個数を遊技者に明らかにするため、遊技機の適所にまたは液晶表示装置３６による画面中に画像として表示させる。そして、通常は、上記始動記憶の発生順に、各始動記憶に対する変動表示ゲームが実行制御される。本実施形態では、上記上限の所定個数として、特別図柄、普通図柄に関する始動記憶をそれぞれ４個まで主制御基板２７に設けられるＲＡＭに記憶され、特別図柄または普通図柄の変動確定回数として保留される。
【００３４】
（制御部：図４）
次に、図４に本実施形態に係る弾球遊技機における制御部の構成を示す。図に示すように、パチンコ遊技機１の制御部は、遊技動作全般の制御を司る主制御基板２７と、主制御基板２７からの制御コマンドを受けて演出処理を行う演出制御基板２４と、外部電源から遊技機に必要な電源を生成し供給する電源基板３１とを中心に構成されている。また電源基板３１と発射制御基板３３とを除く他の制御基板、すなわち主制御基板２７、演出制御基板２４、液晶制御基板２５、および払出制御基板２９の各基板には、それぞれが割り当てられた各種制御処理を行うために、ＲＯＭ、ＲＡＭ、ＣＰＵ等から構成された１チップマイクロコンピュータ（図示せず）が搭載されている。
【００３５】
主制御基板２７の入力ポートには、上始動口３４に設けた特別図柄始動口センサ３４ａ、普通変動入賞装置４１（下始動口３５）に設けた特別図柄始動口センサ３５ａ、普通図柄始動口３７に設けられた普通図柄始動口センサ３７ａ、一般入賞口４３に設けられた一般入賞口センサ４３ａが、遊技中継基板５５を介して接続されている。また主制御基板２７の出力ポートには、遊技中継基板５５を介して、特別変動入賞装置ソレノイド４２ａ、普通変動入賞装置ソレノイド４１ａが接続されている。
【００３６】
また主制御基板２７の出力ポートには、演出Ｉ／Ｆ（インターフェース）基板５６を介して、演出制御基板２４が接続されている。また演出制御基板２４は、演出Ｉ／Ｆ基板５６および液晶Ｉ／Ｆ基板５７を介して液晶制御基板２５が接続され、これに画像表示装置としての液晶表示装置３６が接続されている。さらにまた演出制御基板２４には、演出Ｉ／Ｆ基板５６を介して、装飾ランプ４５、スピーカ５８が接続されている。
【００３７】
主制御基板２７は、遊技機における遊技動作全般の制御を中心的に司る主演算処理装置として機能する。また図示はしていないが、主制御基板２７の１チップマイクロコンピュータには、ＲＯＭ、ＲＡＭ、ＣＰＵ（このＣＰＵを「主制御ＣＰＵ」とも称する）の他、一定周期のパルス出力を作成する機能や時間計測の機能等を有するＣＴＣ（Ｃｏｕｎｔｅｒ  Ｔｉｍｅｒ  Ｃｉｒｃｕｉｔ）、ＣＰＵに割り込み信号を付与する割り込みコントローラ回路等が設けられている。主制御基板２７は、処理の進行状態に応じて周辺基板に対し、制御信号または制御コマンドを送信する。
【００３８】
演出制御基板２４は、演出手段であるスピーカ５８や装飾ランプ４５やＬＥＤの制御する演出制御手段として機能し、主制御基板２７から送信される演出に関する制御コマンド（演出制御コマンド）を受けて、スピーカ５８や装飾ランプ４５やＬＥＤを制御し、光や音による演出を実現している。また図示はしていないが、演出制御基板２４の１チップマイクロコンピュータには、主制御基板２７と同様に、ＲＯＭ、ＲＡＭ、ＣＰＵ（このＣＰＵを「演出制御ＣＰＵ」とも称する）の他、ＣＴＣ、割り込みコントローラ回路等が設けられて。主制御基板２７からの演出制御コマンドは、一方向通信により演出制御基板２４に送信される。これは、外部からのゴト行為による不正な信号が演出制御基板２４を介して主制御基板２４に入力されることを防止するためである。
【００３９】
ここで、主制御基板（主制御ＣＰＵ）２７により各遊技動作の実行時に演出制御基板（演出制御ＣＰＵ）２４に対して送信される代表的な演出制御コマンドについて簡単に説明しておく。
【００４０】
この演出制御コマンドとしては、たとえば、特別図柄の変動開始時に送信され、大当りの抽選結果情報を指定する「特別図柄指定」コマンド、同じく特別図柄の変動開始時に送信され、特別図柄の挙動を指定する「特別図柄変動」コマンド、普通図柄の変動開始時に送信され、普通図柄の挙動を指定する「普通図柄変動」コマンド、特別図柄や普通図柄の停止時に送信される「図柄停止コマンド」等がある。
【００４１】
また、現在の遊技状態を指定する演出制御コマンドとして、「遊技状態指定」コマンドがある。この遊技状態指定コマンドは遊技状態の変化時に送信され、大当り確率や補助当り確率を変化させる確率変動機能（いわゆる、確変機能）作動時（確変遊技状態（確変状態）中）・未作動時（非確変状態中）、特別図柄や普通図柄の変動時間を短縮させる変動時間短縮機能（いわゆる、時短機能）作動時（時短遊技状態（時短状態）中）・未作動時（非時短状態中）、普通変動入賞装置４１の作動延長機能（いわゆる、開放延長機能）作動時（開放延長遊技状態（開放延長）中）・未作動時（非開放延長中）等、各種遊技状態情報が含まれる（各遊技状態の詳細は追って説明していく）。
【００４２】
また大当り中の演出を行わせる演出制御コマンドとして、特別図柄の停止後に送信される「大当り開始表示」コマンド、大入賞口４０の開放時に送信される「開放表示」コマンド、大入賞口４０の閉鎖時に送信される「開放インターバル表示」コマンド、最終ラウンドの大入賞口４０の閉鎖後に開放インターバル表示コマンドの受信よりインターバル演出時間の経過後に送信される「大当り終了表示」コマンド、大当り終了後、大当り終了表示コマンドの受信より大当り終了演出時間経過後に送信される「遊技状態表示」コマンドがある。
【００４３】
また各入賞口に入賞したことを示す演出制御コマンドとして、入賞コマンドがある。この入賞コマンドには、上始動口３４、下始動口３５、大入賞口４０、普通図柄始動口３７、または一般入賞口４３等への入賞球を検出した場合に、それぞれの入賞口に対応する入賞コマンドが所定のタイミングで送信される。
【００４４】
またさらに遊技が成されていないと判断された場合の待機演出（デモ演出）を現出させるための演出制御コマンドとして、デモ表示コマンドがある。このデモ表示コマンドは、所定の表示条件を満たした場合に送信される。
【００４５】
主制御基板（主制御ＣＰＵ）２７から演出制御基板２４に演出制御コマンドの送信を行う場合、主制御基板２７は、割り込み信号を発生し、演出制御基板２４にＭＯＤＥ信号とＥＶＥＮＴ信号とで構成される２バイト長の演出制御コマンドを送信する。
【００４６】
また、図示はしていないが、演出制御基板２４にはスピーカ５８を制御するためのサウンドＬＳＩ、音声ＲＯＭ、音処理回路を含む音響制御回路を備えている。音声ＲＯＭには演出パターンに対応した各種効果音を発生させるための音響出力用データが記憶されている。サウンドＬＳＩは、演出制御基板２４のＣＰＵからのスピーカ制御用の音声コマンドを受けて、所定のタイミングで上記音声ＲＯＭからデータを読み出し、所定の処理を施して音処理回路に出力する。上記音処理回路は上記データをＤ／Ａ変換して音声信号を生成し、音声信号を所定レベルに増幅してスピーカ５８に供給する。
【００４７】
演出制御基板２４は主制御基板２７から送信される演出制御コマンドを受けて、これに関連付けられた液晶制御コマンドを液晶制御基板２５に送信する。たとえば、上記「特別図柄指定」コマンドや上記「特別図柄変動」コマンドを受けて、停止させる装飾図柄の抽選、予告演出の抽選、背景変化の抽選等を行い、その結果を、演出を現出させるためのコマンドに変更および追加して、映像の再生が必要なタイミングで液晶制御基板２５に液晶制御コマンドを送信し、音や光の再生が必要なタイミングで音声コマンドや発光コマンドをＬＥＤ基板や音響制御回路に送信する。原則的に、液晶制御ＣＰＵへのコマンド送信は、主制御ＣＰＵからのコマンドを受信した順序で行なわれる。
【００４８】
液晶制御基板２５は、上記液晶制御コマンドを受けて液晶表示装置３６を駆動制御し、画像による演出を実現している。また、液晶制御基板２５のＲＯＭ（画像ＲＯＭ）には、画像を表示するための種々の画像データが記憶されており、また、演出出力全般の制御を担うＶＤＰ（Ｖｉｄｅｏ  Ｄｉｓｐｌａｙ  Ｐｒｏｃｅｓｓｏｒ）が搭載されている。この液晶制御基板２５は演出手段である液晶表示装置３６を制御する演出制御手段として機能し、また液晶制御基板２５は、液晶表示装置３６に複数の装飾図柄を変動表示させ、その後に停止表示させる図柄表示制御手段としても機能する。なお、本実施形態では、演出制御基板２４と液晶制御基板２５とを別個の基板で遊技機に設けているが、これらの基板が担う機能を一体的に構成し、１つの基板に搭載しても良い。
【００４９】
ここで、演出制御基板（演出制御ＣＰＵ）２４により各遊技動作の実行時に液晶制御基板（液晶制御ＣＰＵ）２５に対して送信される代表的な液晶制御コマンドについて簡単に説明しておく。
【００５０】
液晶制御コマンドとしては、上記「特別図柄指定」コマンドや上記「特別図柄変動」コマンドの受信時に抽選により決定された演出内容を指定するコマンドとして、液晶表示装置３６に停止表示される装飾図柄（左、中、右）の組み合わせを指定する「装飾図柄表示」コマンド、演出パターンの表示を指定する「演出パターン」コマンドがある。また上記「停止コマンド」を受信時に送信され、演出の停止を指定する「演出停止」コマンドがある。この演出停止コマンドには、装飾図柄の変動表示を停止し、上記指定された装飾図柄の組み合わせで装飾図柄を停止表示させる「装飾図柄停止」コマンドが含まれる。
【００５１】
また遊技状態の表示を指定する「遊技状態表示」コマンドがあり、この遊技状態表示コマンドには、確変状態や時短状態や開放延長中等、各種遊技状態情報が含まれる。
【００５２】
また大当り動作中の演出を指定する液晶制御コマンドとして、特別図柄の停止後に送信される「大当り開始表示」コマンド、大入賞口４０の開放時に送信される「開放表示」コマンド、大入賞口４０の閉鎖時に送信される「開放インターバル表示」コマンド、最終ラウンドの大入賞口４０の閉鎖後に開放インターバル表示コマンドの受信よりインターバル演出時間の経過後に送信される「大当り終了表示」コマンド、大当り終了後、大当り終了表示コマンドの受信より大当り終了演出時間経過後に送信される「遊技状態表示」コマンド等がある。
【００５３】
また液晶表示装置３６にデモ画面を表示させる液晶制御コマンドとして、デモ画面表示コマンド、液晶表示画面に獲得球数を表示させるための獲得球数表示用液晶制御コマンドがある。
【００５４】
またさらに特別変動表示ゲームの抽選結果に応じた期待演出や予告演出、これに伴う背景表示演出等を指定する「演出表示」コマンドがある。
【００５５】
演出制御基板２４から液晶制御基板２５に液晶制御コマンドの送信を行う場合、演出制御基板２４は、割り込み信号を発生し、液晶制御基板２５にＭＯＤＥ信号とＥＶＥＮＴ信号とで構成される２バイト長の液晶制御コマンドを送信する。
【００５６】
本実施形態では、液晶制御基板（液晶制御ＣＰＵ）２５は演出制御基板（演出制御ＣＰＵ）２５と接続されているが、主制御基板（主制御ＣＰＵ）２７とは接続されていない。したがって、遊技状態に関する情報は、まず、演出制御コマンドとして主制御基板２７から演出制御基板２４へと送信され、次に液晶制御コマンドとして演出制御基板２４から液晶制御基板２５へと送信される。
【００５７】
払出制御基板２９は、主制御基板２７から送信される賞球の払い出しに関する賞球制御コマンド（払出制御コマンド）を受けて、遊技球払出装置１９を制御する。また、払出制御基板２９は、賞球の払い出しに関する状態信号（払い出し完了信号、払い出しに関するエラー信号等）を主制御基板２７に送信している。
【００５８】
発射制御基板３３は、発射操作ハンドル１５が操作された際、その発射操作に関する信号を受信して、発射装置（発射モータ）３２を駆動制御する。
【００５９】
電源基板３１は、外部電源に接続され、変圧トランスから供給される交流電圧（ＡＣ２４Ｖ：メイン電源）から所要の電源を生成し、各制御基板にそれぞれ供給する。
【００６０】
外部端子基板２１からは特別図柄の変動回数情報、遊技状態情報、賞球数に関する情報等が、管理用コンピュータ（図示せず）に送信される。
【００６１】
次に、図５および図６を参照して、本実施形態のパチンコ遊技機１において主制御基板２７側における処理内容について説明する。先ず、図５を参照して、主制御基板２７の主制御ＣＰＵが遊技動作制御プログラムに従い実行する主制御側メイン処理について説明する。なお、図５および図６にて説明する処理内容は主制御ＣＰＵにより実行されるものであるが、説明の便宜上、処理を実行する主体を主制御基板２７として説明する。
【００６２】
（主制御側メイン処理：図５）
まず、遊技機本体に対して外部から電源が投入されると、電源基板３１によって各制御基板に電源が投入された旨の電源投入信号が送信される。そして、主制御基板２７は、図５に示す主制御側メイン処理を開始する。
【００６３】
この主制御側メイン処理において、主制御基板２７は、遊技動作開始前における必要な初期設定処理を実行する（ステップＳ１０１）。
【００６４】
次に、入力ポートを介して入力されるＲＡＭクリアスイッチの出力信号の状態（オン、オフ）を確認し、ＲＡＭクリアスイッチがオンである場合（ステップＳ１０２：ＹＥＳ）にはステップＳ１０５の処理に進み、ＲＡＭを初期化する。ＲＡＭクリアスイッチがオンでない場合（ステップＳ１０２：ＮＯ）、次に電源断が発生した際にバックアップＲＡＭに記憶されたバックアップ用データが有効であるか否かを判断する（ステップＳ１０３）。バックアップデータが有効か否かは、電断時の際に設定されるバックアップフラグの状態による。主制御基板２７は、電源が遮断された場合、電源遮断発生直前における処理状態の内容をバックアップ処理すると共に、チェックサムを算出して保存している。電源復旧の際には、上記チェックサムの比較を行うことにより、バックアップデータが有効であるか否かを確認している。
【００６５】
バックアップデータが有効であると判断した場合には（ステップＳ１０３：ＹＥＳ）、バックアップデータに基づき、電源遮断前におけるスタックポインタを復帰し、電源遮断時の処理状態から遊技を開始するために必要な遊技復旧処理を実行し（ステップＳ１０４）、バックアップデータが有効でない場合には（ステップＳ１０３：ＮＯ）、スタックポインタにスタックポインタ指定アドレスを設定し、ＲＡＭを初期化する（ステップＳ１０５）。そして、このＲＡＭの初期化に伴い、ＲＡＭクリアした旨の情報を初期化コマンドとして各制御基板に送信する（ステップＳ１０６）。
【００６６】
次に、ＣＰＵに設けられているＣＴＣの設定を行う（ステップＳ１０７）。本処理では、４ｍｓごとに定期的にタイマ割り込みがかかるように、初期値として４ｍｓに相当する値をＣＴＣの時間定数レジスタに設定する。
【００６７】
次に、割り込み禁止状態に設定し（ステップＳ１０８）、各種乱数の更新処理を実行する（ステップＳ１０９〜Ｓ１１１）。
【００６８】
まず、変動パターン用乱数値更新処理を実行する（ステップＳ１０９）。変動パターン用乱数値更新処理は、特別図柄変動表示ゲームにおける特別図柄の変動パターンを指定する変動パターン用乱数値の更新を実行する処理である。この変動パターン用乱数は、大当り抽選の処理結果や遊技状態（非確変状態、確変状態、時短状態、開放延長中、作動保留球数等）に応じて、どのような演出を現出させるかを決定する際に用いられるための乱数値である。
【００６９】
普通図柄当り判定用初期値乱数更新処理（ステップＳ１１０）は、前記普通図柄変動表示ゲームの当否抽選に係る普通図柄当り判定用乱数の初期値変更に使用する乱数の更新（たとえば、カウンタのカウント値を更新する処理）を実行する処理である。また、特別図柄当り判定用初期値乱数更新処理（ステップＳ１１１）は、前記特別図柄表示ゲームの当否抽選に係る特別図柄当り判定用乱数の初期値変更に使用する乱数の更新を実行する処理である。
【００７０】
次に、割り込み許可状態に設定し（ステップＳ１１２）、ステップＳ１０８〜ステップＳ１１２の処理をループ処理にて実行する。
【００７１】
（主制御側タイマ割込処理：図６）
次に、図６を参照して、主制御側メイン処理において、４ｍｓ程度ごとに実行される主制御側タイマ割込処理について説明する。図６は、一定時間ごとの割り込みで起動される主制御側のタイマ割込処理を示すフローチャートである。
【００７２】
主制御基板２７における１チップマイクロコンピュータのＣＴＣの時間定数レジスタには、４ｍｓに相当する値が設定されている。このため、前述した主制御側のメイン処理（図５参照）において、４ｍｓごとにタイマ割り込みが発生するようになっている。なお、このタイマ割込処理は、上記ＣＴＣ内部からのマスク可能な割り込み（ｍａｓｋａｂｌｅ  ｉｎｔｅｒｒｕｐｔ）信号に基づいて実行される。
【００７３】
主制御側タイマ割込処理において、まず、主制御基板２７は、レジスタを所定のスタック領域に退避させる退避処理（ステップＳ１５１）を実行する。
【００７４】
次に、各変動表示ゲームに係る乱数を定期的に更新する定期乱数更新処理を実行する（ステップＳ１５２）。定期乱数更新処理は、図５に示したステップＳ１１０およびステップＳ１１１の処理と基本的に同じ処理を含み、普通図柄表示ゲームや特別図柄表示ゲームの当否抽選に係る乱数の更新を行う処理であり、各種乱数（普通図柄当り判定用初期値乱数、普通図柄当り判定用乱数、特別図柄当り判定用初期値乱数、特別図柄当り判定用乱数、特別図柄用停止図柄乱数等）を定期的に更新する処理である。
【００７５】
次に、タイマ管理処理を実行する（ステップＳ１５３）。このタイマ管理処理は、遊技動作に用いられるタイマを管理制御するための処理である。
【００７６】
次に、入力管理処理を実行する（ステップＳ１５４）。この入力管理処理は、パチンコ遊技機１に設けられた各種センサによる検出情報を記憶したり、その情報を定期的に更新したりする処理である。上記各種センサによる検出情報としては、たとえば、普通図柄始動口センサ３７ａ、大入賞口センサ４０ａ、特別図柄始動口センサ３４ａ、３５ａ、一般入賞口センサ４３ａ等による遊技球の検出情報が挙げられる。
【００７７】
ところで本実施形態では、賞球が払い出される入賞口として、上始動口３４、下始動口３５、大入賞口４０、一般入賞口４３を定めてある。これらに設けられたセンサにより遊技球が検出されその入力があった場合には、対応する入賞コマンドが演出制御基板２４に送信される。具体的には、一般入賞口センサ４３ａによる検出情報があった場合には、後述する賞球管理処理（ステップＳ１５６）にて演出制御基板２４にその旨を示す一般入賞口入賞コマンドが送信される。また、特別図柄始動口センサ３４ａ、３５ａによる検出信号入力があった場合には、その旨を示す特別図柄始動口入賞コマンド（特別図柄始動口３４に対応する上始動口入賞コマンド、または特別図柄始動口３５に対応する下始動口入賞コマンド）が後述する特別図柄管理処理（ステップＳ１５９：図６参照）にて演出制御基板２４に送信される。また大入賞口センサ４０ａによる検出信号入力があった場合には、その旨を示す大入賞口入賞コマンドが後述する特別変動入賞装置管理処理（ステップＳ１６０：図６参照）にて演出制御基板２４に送信される。これらの入賞コマンドは、後述する獲得球数計数処理（ステップＳ６０２：図１８参照）で利用される。また、上記各入賞コマンドには、各入賞口別に約束づけられた入賞球１個当りの所定の賞球数情報（たとえば、一般入賞口コマンドは賞球数１５個、上始動口入賞コマンドは賞球数３個、下始動口入賞コマンドは賞球数３個、大入賞口入賞コマンドは１３個等）が含まれる。
【００７８】
次に、エラー管理処理を実行する（ステップＳ１５５）。このエラー管理処理は、遊技機に設けられた各センサからの検出情報に基づき、不正入賞を監視したり、遊技動作状態を監視したりして、遊技機の異常を監視するための処理である。
【００７９】
次に、賞球管理処理を実行する（ステップＳ１５６）。この賞球管理処理は、賞球の払い出しに係る処理である。主制御基板２７は、遊技球の入賞を検出した場合、賞球数を指定する賞球払出制御コマンドを払出制御基板２９に送信する共に、一般入賞口４３への入賞球を一般入賞口センサ４３ａが検出した信号の入力があった場合には一般入賞口入賞コマンドを演出制御基板２４に送信する。払出制御基板２９は、上記賞球払出制御コマンドを受けて、遊技球払出装置１９を駆動する。これにより、遊技球払出装置１９から所定個数の遊技球が上受け皿１９に排出される。
【００８０】
次に、普通図柄管理処理を実行する（ステップＳ１５７）。この普通図柄管理処理は、普通図柄表示ゲームによる抽選を実行したり、当該抽選結果に基づいて普通図柄表示装置３９における普通図柄の変動表示パターンや停止表示態様を決定したりする処理である。この普通図柄管理処理は、普通図柄始動口に遊技球が入賞したことを条件として、通常の遊技状態よりも遊技者に有利な補助遊技に移行する補助当りとするか否かの抽選をする補助遊技抽選手段として機能する。
【００８１】
（普通図柄管理処理：図７、図８）
図７および図８は、普通図柄管理処理（ステップＳ１５７）を示すフローチャートである。
【００８２】
この普通図柄管理処理が開始されると、図７において、主制御基板（主制御ＣＰＵ）２７は、普通図柄始動口３７を通過した遊技球の検出（普通図柄始動口センサ３７ａの検出信号入力）があったか否かを判断する（ステップＳ２０１）。遊技球を検出したときには（ステップＳ２０１：ＹＥＳ）、ステップＳ２０２の処理に移行し、普通図柄の作動保留球数（以下、「普通図柄作動保留球数」と称する）が４以上であるか否かを判定する（ステップＳ２０２）。普通図柄作動保留球数は、普通図柄始動口３７を通過した遊技球を普通図柄始動口センサ３７ａが検出した場合に、ミニマム値０からマックス値４まで変動し、電源投入時には初期化されてミニマム値の０がセットされようになっている。
【００８３】
そして、普通図柄作動保留球数が４以上でない場合、つまり４未満の場合は（ステップＳ２０２：ＮＯ）、ステップＳ２０３の処理へ移行して、普通図柄作動保留球数をインクリメント（１加算）し、次にステップＳ２０４の処理へ移行して、普通図柄抽選用乱数値を記憶する処理（乱数取得処理）を実行する。すなわち普通図柄当り判定用乱数のカウンタの現在値を取得してＲＡＭの取得数値記憶エリアに格納する。
【００８４】
上記ステップＳ２０１で遊技球を検出していない場合（ステップＳ２０１：ＮＯ）や上記ステップＳ２０２で普通図柄作動保留球数が４以上である場合（ステップＳ２０２：ＹＥＳ）には、これらステップＳ２０２〜Ｓ２０４の処理を行わずに、ステップＳ２０５の処理に進む。
【００８５】
次いで、ステップＳ２０５に進むと「当り中（補助当り）」であるか否かを判断して、「当り中」であれば（ステップＳ２０５：ＹＥＳ）、普通図柄を管理する必要がないので、この普通図柄管理処理を終了してステップＳ１５８の普通変動入賞装置管理処理（図６）に移行する。
【００８６】
一方、ステップＳ２０５の処理で「当り中」でないと判断された場合（ステップＳ２０５：ＮＯ）、普通図柄の挙動を示す処理状態が「普通図柄待機中」「普通図柄変動中」「普通図柄停止中」のいずれであるかを順に判断し（ステップＳ２０６、ステップＳ２０８、ステップＳ２１７）、該当する場合はそれぞれの処理状態に属する処理を行う。なお、「普通図柄待機中」とは普通図柄の変動が行なわれておらず次回の変動のための待機状態であることを示し、「普通図柄変動中」とは普通図柄が現在変動中であることを示し、「普通図柄停止中」とは普通図柄の変動が終了して停止中であることを示している。
【００８７】
以下、普通図柄の挙動を示す処理状態が「普通図柄待機中」「普通図柄変動中」「普通図柄停止中」の場合の処理内容について順に説明していく。
【００８８】
「普通図柄待機中」である場合（ステップＳ２０６：ＹＥＳ）、普通図柄作動保留球数がゼロであるか否かを判断する（ステップＳ２０７）。普通図柄作動保留球数がゼロの場合は（ステップＳ２０７：ＹＥＳ）、この普通図柄管理処理を終了してステップＳ１５８の普通変動入賞装置管理処理（図６）に移行する。
【００８９】
一方、普通図柄作動保留球数がゼロでない場合は（ステップＳ２０７：ＮＯ）、図８のステップＳ２１１に進み、普通図柄作動保留球数を１減算し（ステップＳ２１１）、上記ステップＳ２０４で取得した乱数値が当り判定値に属するか否かの判定処理（当り判定処理）を実行する（ステップＳ２１２）。この判定処理では、補助当りの抽選を遊技状態（非確変状態、確変状態）に応じた抽選確率で行なう。次いで、ステップＳ２１２の判定結果に基づいて、抽選結果を示す停止図柄の設定（普通図柄停止図柄設定）を行い（ステップＳ２１３）、次に変動パターンの設定を行なう（ステップＳ２１４）。この変動パターンの設定の処理では、ステップＳ２１２の判定結果に基づいて普通図柄の変動パターンが決定され、さらにこの変動パターンに対応する変動時間（たとえば、非時短状態中では１０秒、時短状態中は１秒）が決定される。
【００９０】
そして、処理状態を「普通図柄変動中」に切り替え、普通図柄が変動中である旨の情報および変動時間情報を含む普通図柄変動コマンドを演出制御基板２４に送信する（ステップＳ２１５〜Ｓ２１６）。これにより普通図柄管理処理を終了してステップＳ１５８の普通変動入賞装置管理処理（図６）に移行する。上記普通図柄変動コマンドは、後述するコマンド解析処理（ステップＳ５３４：図１７参照）の獲得球数計数処理（ステップＳ６０２：図１８参照）で利用される。
【００９１】
「普通図柄変動中」である場合は（ステップＳ２０８：ＹＥＳ）、普通図柄変動時間が経過するのを待つ（ステップＳ２０９：ＮＯ）。そして普通図柄変動時間が経過したならば（ステップＳ２０９：ＹＥＳ）、処理状態を「普通図柄停止中」に切り替え、普通図柄の変動が終了し停止したことを示す普通図柄停止コマンドを演出制御基板２４に送信する（ステップＳ２１０）。この普通図柄停止コマンドは、後述するコマンド解析処理（ステップＳ５３４：図１７参照）の獲得球数計数処理（ステップＳ６０２：図１８参照）で利用される。これにより普通図柄管理処理を終了してステップＳ１５８の普通変動入賞装置管理処理（図６）に移行する。
【００９２】
「普通図柄停止中」である場合は（ステップＳ２１７：ＹＥＳ）、停止図柄を普通図柄表示装置３９に表示させるための一定時間が経過するのを待ち（ステップＳ２１８：ＮＯ）、上記一定時間が経過したならば（ステップＳ２１８：ＹＥＳ）、その停止図柄が当り図柄であるか否かを判断する（ステップＳ２１９）。停止図柄が当り図柄である場合は（ステップＳ２１９：ＹＥＳ）、処理状態を「当り（補助当り）中」に設定し（ステップＳ２２０）、「普通図柄待機中」に切り替える（ステップＳ２２１）。また停止図柄が当り図柄でない場合は（ステップＳ２１９：ＮＯ）、ステップＳ２２０の処理を行わずにステップＳ２２１に進み、「普通図柄待機中」に切り替える（ステップＳ２２１）。これにより普通図柄管理処理を終了してステップＳ１５８の普通変動入賞装置管理処理（図６）に移行する。
【００９３】
図６に戻り、上記普通図柄管理処理（ステップＳ１５７）に次いで、普通変動入賞装置管理処理を実行する（ステップＳ１５８）。この普通変動入賞装置管理処理は可動翼片４７の開閉動作を制御するための処理であり、具体的には、普通図柄管理処理（ステップＳ１５７）における当否抽選の結果に基づき、ソレノイド制御用の励磁制御信号を普通変動入賞装置ソレノイド４１ａに送信し、可動翼片４７の一連の動作を制御するための処理である。この普通変動入賞装置管理処理は、普通図柄表示装置に補助当りを示す普通図柄が停止表示されたことを条件として、上記普通変動入賞装置の可動部材を所定のパターンに従い駆動して前記補助当り遊技を実行制御するための補助当り制御手段として機能する。
【００９４】
（普通変動入賞装置管理処理：図９、図１０）
図９および図１０は、普通変動入賞装置管理処理を示すフローチャートである。
【００９５】
この普通変動入賞装置管理処理が開始されると、図９において、主制御基板（主制御ＣＰＵ）２７は、まず上記の普通図柄管理処理のステップＳ２２０（図８）の処理により、普通図柄が停止したときの停止図柄が当り図柄であって「当り中」になっているか否かを判断する（ステップＳ２５１）。「当り中」でなければ（ステップＳ２５１：ＮＯ）何もしないで、この普通変動入賞装置管理処理を終了してステップＳ１５９の特別図柄管理処理（図６）に移行する。
【００９６】
一方、「当り中」である場合は（ステップＳ２５１：ＹＥＳ）、普通変動入賞装置４１が作動中か否か、つまり可動翼片４７の開閉動作が実行中であるか否かを判断し（ステップＳ２５２）、普通変動入賞装置４１が作動中ならば（ステップＳ２５２：ＹＥＳ）、その下始動口３５への遊技球が入賞して、特別図柄始動口センサ３５ａにより遊技球の入賞が検出されたか否かを判断する（ステップＳ２５３）。下始動口３５への入賞が検出された場合（ステップＳ２５３：ＹＥＳ）、「下始動口入賞数」に１加算し（ステップＳ２５４）、加算後の下始動口入賞数が最大入賞数（たとえば１０個）以上となったか否かを判断する（ステップＳ２５５）。
【００９７】
下始動口入賞数が最大入賞数以上となった場合（ステップＳ２５５：ＹＥＳ）、普通変動入賞装置４１の作動時間幅（可動翼片４７の開閉動作の時間幅）を設定している動作切り替え用タイマをクリアする（ステップＳ２５６）。そしてステップＳ２５７の処理に進む。
【００９８】
上記ステップＳ２５２〜Ｓ２５３における判断がＮＯの場合、すなわち「普通変動入賞装置作動中」でない場合、下始動口３５への入賞検出がない場合は（Ｓ２５２〜Ｓ２５３：ＮＯ）、ステップ２５４〜Ｓ２５６の処理を行わずにステップＳ２５７に進む。またステップＳ２５５で下始動口入賞数が最大入賞数未満となっている場合（ステップＳ２５５：ＮＯ）には、上記動作切り替え用タイマをクリアせずにステップＳ２５７の処理に進む。
【００９９】
ステップＳ２５７に進むと、動作切り替え用タイマのタイマ値がゼロであるか否かを判断し（ステップＳ２５７）、当該タイマ値がゼロでない間（ステップＳ２５７：ＮＯ）は、何もしないで、この普通変動入賞装置管理処理を終了してステップＳ１５９の特別図柄管理処理（図６）に移行する。
【０１００】
一方、動作切り替え用タイマのタイマ値がゼロである場合（ステップＳ２５７：ＹＥＳ）、次に普通変動入賞装置４１が作動待機中であるのか（ステップＳ２５８）、作動開始中であるのか（ステップＳ２６０）、作動中であるのか（ステップＳ２６３）、終了中であるのか（ステップＳ２６６）を順次確認して、該当する場合はそれぞれの処理状態に属する処理を行う。なお、「普通変動入賞装置作動待機中」とは普通変動入賞装置４１の動作が停止しており次回の動作のための待機状態であることを示し、「普通変動入賞装置作動開始中」とは普通変動入賞装置４１が作動開始前待機状態であることを示し、「普通変動入賞装置作動中」とは普通変動入賞装置４１が現在作動中であることを示し、「普通変動入賞装置終了中」とは普通変動入賞装置４１の動作が終了して終了処理前の待機状態であることを示している。
【０１０１】
以下、「普通変動入賞装置作動待機中」「普通変動入賞装置作動開始中」「普通変動入賞装置作動中」「普通変動入賞装置終了中」である場合の処理内容について順に説明していく。
【０１０２】
「普通変動入賞装置作動待機中」である場合は（ステップＳ２５８：ＹＥＳ）、作動開始時間、すなわち普通図柄の停止表示時間が経過して当りが確定した後、普通変動入賞装置４１の動作開始までに必要な待ち時間を設定し、「普通変動入賞装置作動開始中」に切り替える（ステップＳ２５９）。これにより、この普通変動入賞装置管理処理を終了してステップＳ１５９の特別図柄管理処理（図６）に移行する。
【０１０３】
「普通変動入賞装置作動開始中」である場合は（ステップＳ２６０：ＹＥＳ）、上記待ち時間の経過を待って、動作切り替え用タイマに遊技状態（開放延長中、非開放延長中等）に応じた作動時間を設定し、「普通変動入賞装置作動中」に切り替えた後（ステップＳ２６１）、普通変動入賞装置４１が作動中であることを示す普通変動入賞装置作動中コマンドを演出制御基板２４に送信し、また上記タイマ値に基づいてソレノイド制御用の励磁制御信号を普通変動入賞装置ソレノイド４１ａに送信し、可動翼片４７を作動させて下始動口３５を開放する（ステップＳ２６２）。この普通変動入賞装置作動中コマンドは、後述するコマンド解析処理（ステップＳ５３４：図１７参照）の獲得球数計数処理（ステップＳ６０２：図１８参照）で利用される。これにより、この普通変動入賞装置管理処理を終了してステップＳ１５９の特別図柄管理処理（図６）に移行する。
【０１０４】
「普通変動入賞装置作動中」である場合は（ステップＳ２６３：ＹＥＳ）、下始動口３５を閉鎖し（ステップＳ２６４）、普通変動入賞装置４１の作動が終了したことを示す普通変動入賞装置作動終了コマンドを演出制御基板２４に送信し、作動終了後の待ち時間を設定し「普通変動入賞装置終了中」に切り替える（ステップＳ２６５）。この普通変動入賞装置作動中コマンドは、後述するコマンド解析処理（ステップＳ５３４：図１７参照）の獲得球数計数処理（ステップＳ６０２：図１８参照）で利用される。これにより、この普通変動入賞装置管理処理を終了してステップＳ１５９の特別図柄管理処理（図６）に移行する。
【０１０５】
「普通変動入賞装置終了中」である場合は（ステップＳ２６６：ＹＥＳ）、「当り中」を終了し、「普通変動入賞装置待機中」に切り替える（ステップＳ２６７）。これにより、この普通変動入賞装置管理処理を終了してステップＳ１５９の特別図柄管理処理（図６）に移行する。
【０１０６】
図６に戻り、上記普通変動入賞装置管理処理（ステップＳ１５８）に次いで、特別図柄管理処理を実行する（ステップＳ１５９）。この特別図柄管理処理は、特別図柄表示ゲームによる抽選を実行したり、当該抽選結果に基づいて特別図柄表示装置３８における特別図柄の変動パターンや停止表示態様を決定したりするための処理である。この特別図柄管理処理は、特別図柄始動口に遊技球が入賞したことを条件として通常遊技状態よりも遊技者に有利な大当り遊技に移行する大当りとするか否かを抽選するものであって、大当り後に通常遊技状態よりも遊技者に有利な特別遊技状態の発生契機となる特別大当りを含む複数種類の大当りのうちからいずれかの大当りを抽選する大当り抽選手段に相当する。
【０１０７】
（特別図柄管理処理：図１１、図１２）
図１１、図１２は、特別図柄管理処理を示すフローチャートである。
【０１０８】
この特別図柄管理処理が開始されると、図１１において、主制御基板（主制御ＣＰＵ）２７は、まず上始動口３４または下始動口３５において入賞球の検出（特別図柄始動口センサ３４ａ、３５ａの検出信号入力）があったか否かを判断する（ステップＳ３０１）。上始動口３４または下始動口３５への入賞を検出した場合（ステップＳ３０１：ＹＥＳ）、上始動口３４または下始動口３５への入賞を示す特別図柄始動口入賞コマンド（上始動口入賞コマンドまたは下始動口入賞コマンド）を演出制御基板２４に送信し（ステップＳ３０２）、ステップＳ３０３の処理に進み、特別図柄作動保留球数が４以上であるか否か判断する（ステップＳ３０３）。特別図柄作動保留球数は、前記普通図柄作動保留球数と同様に、ミニマム値０からマックス値４まで変動する。
【０１０９】
特別図柄作動保留球数が４以上でない場合、つまり４未満の場合は（ステップＳ３０３：ＮＯ）、特別図柄作動保留球数を１加算し（ステップＳ３０４）、特別図柄当り判定用乱数値、特別図柄用停止図柄乱数、および変動パターン用乱数値のカウンタの現在値を取得して、それぞれＲＡＭの取得数値記憶エリアに格納する（ステップＳ３０５）。そしてステップＳ３０６の処理に進む。
【０１１０】
上始動口３４または下始動口３５への入賞が検出されなかった場合（ステップＳ３０１：ＮＯ）や特別図柄作動保留球数が４以上の場合（ステップＳ３０３：ＹＥＳ）、上記のステップＳ３０２〜ステップＳ３０５の処理を行わずに、ステップＳ３０６の処理に進む。
【０１１１】
ステップＳ３０６の処理に進むと「大当り中」であるか否かを判断して、「大当り中」であれば（ステップＳ３０６：ＹＥＳ）、特別図柄を管理する必要がないので、この特別図柄管理処理を終了して、ステップＳ１６０の特別変動入賞装置管理処理（図６）に移行する。
【０１１２】
一方、ステップＳ３０６の処理で「大当り中」でないと判断された場合（ステップＳ３０６：ＮＯ）、特別図柄の挙動を示す処理状態が「特別図柄待機中」「特別図柄変動中」「特別図柄停止中」のいずれであるかを順に判断し（ステップＳ３０７、ステップＳ３１１、ステップＳ３２０）、該当する場合はそれぞれの処理状態に属する処理を行う。なお、「特別図柄待機中」とは特別図柄の変動が行なわれておらず次回の変動のための待機状態であることを示し、「特別図柄変動中」とは特別図柄が現在変動中であることを示し、「特別図柄停止中」とは特別図柄の変動が終了して停止中であることを示している。
【０１１３】
以下、上記処理状態が「特別図柄待機中」「特別図柄変動中」「特別図柄停止中」である場合の処理内容について順に説明していく。
【０１１４】
特別図柄待機中の場合は（ステップＳ３０７：ＹＥＳ）、特別図柄の作動保留球数がゼロかどうかを判断する（ステップＳ３０８）。
【０１１５】
特別図柄作動保留球数がゼロの場合（ステップＳ３０８：ＹＥＳ）、遊技が全く行われていない可能性がある。そこでデモ演出を行なうべきデモ表示条件が成立しているか否かを判断する（ステップＳ３０９）。本実施形態では、上始動口３４または下始動口３５の検出信号入力が所定時間（たとえば６０秒）経過しても、その入力がなかった場合に、上記デモ表示条件を満たしたと判断するようにしている。上記デモ表示条件が成立している場合は（ステップＳ３０９：ＹＥＳ）、デモ表示コマンドを演出制御基板２４に送信する（ステップＳ３１０）。これによりこの特別図柄管理処理を終了して、ステップＳ１６０の特別変動入賞装置管理処理（図６）に移行する。
【０１１６】
一方、特別図柄作動保留球数がゼロでない場合（ステップＳ３０８：ＮＯ）、図１２のフローに進み、特別図柄作動保留球数を１減算し（ステップＳ３１４）、ステップＳ３０５で取得した乱数値が大当り判定値に属するか否かの判定処理（大当り判定処理）を実行する（ステップＳ３１５）。この判定処理では、大当りの抽選を遊技状態（非確変状態、確変状態）に応じた抽選確率で行なう。
【０１１７】
次に、ステップＳ３１５の判定結果とステップＳ３０５で取得した特別図柄用停止図柄乱数値とに基づいて、停止図柄（特別図柄停止図柄）を抽選により選択する（ステップＳ３１６）。この処理で抽選される特別図柄停止図柄により、大当り態様および大当り終了後に移行する遊技状態が最終的に決定される。
【０１１８】
本実施形態では、複数種類の大当り遊技と、大当りが終了した後の遊技状態として通常遊技とは異なる複数種類の特殊遊技状態（以下、「特殊遊技」と称する）とが設定され、大当り毎に、どの大当り遊技および特殊遊技を実行するかが定められている。
【０１１９】
ここで本発明の理解を容易なものとするために、図３３を参照しながら本実施形態で設けられている大当りの種類について説明する。本実施形態の大当りには、「１５Ｒ（ラウンド数を意味する）確変確定図柄」での大当りである「１５ラウンド確変確定図柄大当り」、「１５ラウンド非確変確定図柄」での大当りである「１５ラウンド非確変確定図柄大当り」、「２ラウンド突然確変確定図柄」での大当りである「２ラウンド突然確変確定図柄大当り」、「２ラウンド突然時短確定図柄」での大当りである「２ラウンド突然時短確定図柄大当り」、「２ラウンド潜伏確変確定図柄」での大当りである「２ラウンド潜伏確定図柄大当り」が設けられている。
【０１２０】
これらの大当りにおいて、付随する特殊遊技の種類に着目すると、特別図柄に関する時短機能（特別図柄時短機能）、特別図柄に関する確変機能（特別図柄確変機能）、普通図柄に関する時短機能（普通図柄時短機能）、普通図柄に関する確変機能（普通図柄確変機能）、開放延長機能のうち、いずれの機能が作動するかで、特殊遊技の種類が定まる。図３３に示す「付随する特殊遊技機能」白丸印（○印）がその大当り後に作動することとなる特殊遊技機能を示している。なお、図３３に示す「特殊遊技の種類」の欄における「確変時短状態」や「時短状態」や「潜伏確変状態」は、特別図柄に着目した遊技状態として示してある。
【０１２１】
上記特殊遊技の概略を説明すれば、（１）次回の大当りまで大当り確率が高確率となる確変状態で、かつ特別図柄と普通図柄の双方が時短状態となり、さらに次回の大当りまで開放延長中となる特殊遊技（確変時短状態）や、（２）大当り確率が低確率であるが所定の終了条件が成立するまで特別図柄と普通図柄の双方が時短状態となり、さらに開放延長中となる特殊遊技（時短状態）や、（３）次回の大当りまで大当り確率が確変状態となる特殊遊技（潜伏確変状態）がある。なお上記特殊遊技のうち（１）確変時短状態および（２）時短状態では、普通図柄による補助当り確率が高確率（補助当り確変状態：普通図柄確変機能作動中）となり、特殊遊技のなかでも、特別な特殊遊技状態となる（上記確変時短状態または上記時短状態は、「特別遊技状態」に相当する）。これら特殊遊技は、確変状態や時短状態や開放延長中となる点で、遊技者に有利な遊技状態と言える。
【０１２２】
また上記各大当りは、付随する特殊遊技により「特別大当り」と「潜伏大当り」とに区分される（図３３の「大当り属性」の欄参照）。この特別大当りは、確変時短状態または時短状態の発生契機となる大当りであり、大当り後に通常遊技状態よりも遊技者に有利な上記特別遊技状態の発生契機となる特別大当りに相当する。さらに特別大当りは、ラウンド数に応じて「第１群特別大当り」と「第２群特別大当り」とに区分される。詳細は後述するが、上述した大当りの区分は、獲得球数の計数開始タイミングとなる条件として用いられる。
【０１２３】
このため、ステップＳ３１５の判定結果により大当りが選択された場合、本処理にてどの大当りに属するかを抽選により選択し、その抽選結果を示す特別図柄の停止図柄を設定する。なお、本実施形態では、潜伏確変状態、確変時短状態、または時短状態中は、「２ラウンド潜伏確変確定図柄」を抽選対象とはしない。したがって、潜伏確変状態中で抽選された大当りは、「１５ラウンド確変確定図柄大当り」、「１５ラウンド非確変確定図柄大当り」、「２ラウンド突然確変確定図柄大当り」、「２ラウンド突然時短確定図柄大当り」のいずれかになり、その大当り後には上記特別遊技状態が発生することになる。
【０１２４】
次に、変動パターンの設定処理を実行する（ステップＳ３１７）。この変動パターン設定処理では、ステップＳ３１６の停止図柄の抽選結果とステップＳ３０５で取得した変動パターン用乱数値とに基づいて、特別図柄の当選情報や変動時間情報を含む変動パターンを決定する。そして、処理状態を「特別図柄変動中」に切り替え（ステップＳ３１８）、特別図柄指定コマンドとともに、特別図柄が変動中である旨の情報および変動パターン情報を含む特別図柄変動コマンドを演出制御基板２４に送信する（ステップＳ３１９）。これによりこの特別図柄管理処理を終了して、特別変動入賞装置管理処理（図１３）に移行する。
【０１２５】
特別図柄変動中の場合は（ステップＳ３１１：ＹＥＳ）、特別図柄変動時間が経過するのを待つ（ステップＳ３１２：ＮＯ）。特別図柄変動時間が経過した場合（ステップＳ３１２：ＹＥＳ）、処理状態を「特別図柄停止中」に切り替え、特別図柄の変動が終了し停止したことを示す図柄停止コマンド（特別図柄停止コマンド）を演出制御基板２４に送信する（ステップＳ３１３）。これによりこの特別図柄管理処理を終了して、特別変動入賞装置管理処理（図１３）に移行する。
【０１２６】
特別図柄停止中の場合は（ステップＳ３２０：ＹＥＳ）、停止図柄を特別図柄表示装置４１に表示させるための一定時間が経過するのを待ち（ステップＳ３２１：ＮＯ）、一定時間が経過したならば（ステップＳ３２１：ＹＥＳ）、その停止図柄が大当り図柄であるか否かを判断する（ステップＳ３２２）。大当り図柄である場合は（ステップＳ３２２：ＹＥＳ）、処理状態を「大当り中」に設定し（ステップＳ３２３）、「特別図柄待機中」に切り替える（ステップＳ３２４）。また停止図柄が大当り図柄でない場合は（ステップＳ３２２：ＮＯ）、ステップＳ３２３の処理を行わずにステップＳ３２４に進み、「特別図柄待機中」に切り替える（ステップＳ３２４）。これによりこの特別図柄管理処理を終了して、特別変動入賞装置管理処理（図１３）に移行する。
【０１２７】
図６に戻り、上記特別図柄管理処理（ステップＳ１５９）に次いで、特別変動入賞装置管理処理を実行する（ステップＳ１６０）。この特別変動入賞装置管理処理は、特別図柄管理処理（ステップＳ１５９）における大当りの当否抽選の結果に基づき、ソレノイド制御用の励磁制御信号を特別変動入賞装置ソレノイド４２ａに送信し、開放扉４２ｂの一連の動作を制御するための処理である。この特別変動入賞装置管理処理は、前記大当り抽選手段により大当りが抽選されたことを条件として、大当りを発生させて大当り遊技を実行制御する大当り遊技制御手段に対応する。
【０１２８】
（特別変動入賞装置管理処理：図１３、図１４）
図１３および図１４は、特別変動入賞装置管理処理を示すフローチャートである。
【０１２９】
この特別変動入賞装置管理処理が開始されると、図１３において、主制御基板（主制御ＣＰＵ）２７は、まず上記の特別図柄管理処理のステップＳ３２０（図１２）の処理により、特別図柄が停止したときの停止図柄が大当り図柄であって「大当り中」になっているか否かを判断する（ステップＳ４０１）。「大当り中」でなければ（ステップＳ４０１：ＮＯ）何もしないで、この特別変動入賞装置管理処理を終了してステップＳ１６１のＬＥＤ管理処理（図６）に移行する。
【０１３０】
一方、「大当り中」である場合は（ステップＳ４０１：ＹＥＳ）、特別図柄管理処理（ステップＳ１５９）における大当りの当否抽選の結果の大当り遊技に応じた特別変動入賞装置４２の一連の動作を制御するために以下の処理を実行していく。
【０１３１】
「大当り中」である場合（ステップＳ４０１：ＹＥＳ）、特別変動入賞装置４２の大入賞口４０への入賞球が検出されたか否かを判断する（ステップＳ４０２）。大入賞口４０への入賞球が検出された場合は（ステップＳ４０２：ＹＥＳ）、大入賞口入賞コマンドを演出制御基板２４に送信する（ステップＳ４０３）。この処理段階にて大入賞口４０への入賞球が検出された場合に大入賞口入賞コマンドを演出制御基板２４に送信するのは以下の理由からである。
【０１３２】
たとえば、Ｓ４０７の処理で大入賞口４０の入賞球を検知した場合にステップＳ４０８の処理の後に上記大入賞口入賞コマンドを送信する処理形態としてしまうと、後処理のＳ４２３で加算後の大入賞口入賞数が最大入賞数となったと判断された場合、処理状態が「特別変動入賞装置作動開始中」に切り替わってしまうため（ステップＳ４２５参照）、大入賞口４０が閉鎖される直前に連続して遊技球が流入して、大入賞口入賞数が最大入賞数（たとえば１０個）を超えるオーバーフロー現象（たとえば１１個入賞）が発生した場合に、このオーバーフロー分（１個分）の大入賞口入賞コマンドが送信されなくなる。このオーバーフロー分の入賞は、原則、正規の入賞として扱われるので、大当り中の獲得球数を計数する際には、これを含めて計数する必要があるからである（後述する図１８のステップＳ６０２の獲得球数計数処理参照）。したがって、本実施形態では、上記Ｓ４０１の処理後に、大入賞口４０への入賞球が検出されたか否かを判断して（ステップＳ４０２）、大入賞口４０への入賞球が検出された場合は（ステップＳ４０２：ＹＥＳ）、大入賞口入賞コマンドを演出制御基板２４に送信する（ステップＳ４０３）、という処理形態を採用している。
【０１３３】
再び特別変動入賞装置管理処理の説明に戻る。次いで役物連続作動装置が「作動停止中」であるかを判断し（ステップＳ４０４）、作動停止中ならば（ステップＳ４０４：ＹＥＳ）、「役物連続作動装置作動中」に切り替える（ステップＳ４０９）。ここで、役物連続作動装置とは、特別変動入賞装置４２の１ラウンド分の動作を所定回数連続して動作させるための機能部をいう。
【０１３４】
役物連続作動装置がまだ「作動停止中」でない場合（ステップＳ４０４：ＮＯ）、すなわち役物連続作動装置が作動中である場合は、特別変動入賞装置が作動開始前なのか（ステップＳ４０５）、作動中なのか（ステップＳ４０６）、作動停止中なのか（ステップＳ４１２）、役物連続作動装置が作動終了中なのか（ステップＳ４１８）を順次確認し、該当する場合はそれぞれの処理状態に属する処理を行う。なお、「特別変動入賞装置作動開始前」とは大当りして特別変動入賞装置４２の動作が開始前状態であることを示し、「特別変動入賞装置作動中」とは特別変動入賞装置４２が現在作動中であることを示し、「特別変動入賞装置作動停止中」とは特別変動入賞装置４２が現在停止中であることを示している。
【０１３５】
以下、「特別変動入賞装置作動開始前」「特別変動入賞装置作動中」「特別変動入賞装置作動停止中」の処理内容について順に説明していく。
【０１３６】
「特別変動入賞装置作動開始前」である場合は（ステップＳ４０５：ＹＥＳ）、特別変動入賞装置４２の大入賞口４０が開放される前の一定時間（開始前一定時間）が経過したか否か判断する（ステップＳ４１０）。なお、上記開始前一定時間は、ステップＳ３２１の特別図柄の停止表示時間が経過して当りが確定した後、特別変動入賞装置４２の動作開始までのインターバル区間である大当り開始演出区間Ｔａ（図１９参照）を定めた時間幅となる。
【０１３７】
上記開始前一定時間が経過した場合は（ステップＳ４１０：ＹＥＳ）、「特別変動入賞装置作動中」に切り替え、特別変動入賞装置４２の動作パターンを開閉扉４２ｂの動作パターン）設定し、これに基づいてソレノイド制御用の励磁制御信号を特別変動入賞装置ソレノイド４２ａに送信し、開放扉４２ｂを作動させて大入賞口４０を開放させる（ステップＳ４１１）。そして、この特別変動入賞装置管理処理を終了してステップＳ１６１のＬＥＤ管理処理（図６）に移行する。上記「特別変動入賞装置作動開始前」でない場合は（ステップＳ４０５：ＮＯ）、特別変動入賞装置４２が作動中か否かを判断する（ステップＳ４０６）。
【０１３８】
「特別変動入賞装置作動中」である場合は（ステップＳ４０６：ＹＥＳ）、特別変動入賞装置４２の大入賞口４０への入賞球が検出されたか否かを判断する（ステップＳ４０７）。
【０１３９】
大入賞口４０への入賞球が検出された場合（ステップＳ４０７：ＹＥＳ）、「大入賞口入賞数」に１加算する（ステップＳ４０８）。そして、図１４のステップＳ４２３に進む。なお、大入賞口４０への入賞球が検出されなかった場合は（ステップＳ４０７：ＮＯ）、上記の１加算処理（ステップＳ４０８）を行わずにステップＳ４２３に進む。
【０１４０】
ステップＳ４２３に進むと、加算後の大入賞口入賞数が最大入賞数となったか否かを判断する（ステップＳ４２３）。大入賞口入賞数が最大入賞数に至っていなければ（ステップＳ４２３：ＮＯ）、あらかじめ設定した大入賞口４０が開いている時間（大入賞開放時間）が経過したか否かを判断する（ステップＳ４２４）。そして、大入賞口入賞数が最大入賞数に至っておらず（ステップＳ４２３：ＮＯ）、かつ大入賞開放時間が経過していなければ（ステップＳ４２４：ＮＯ）、何もしないで、この特別変動入賞装置管理処理を終了してステップＳ１６１のＬＥＤ管理処理（図６）に移行する。
【０１４１】
大入賞口入賞数が最大入賞数に至った場合（ステップＳ４２３：ＹＥＳ）、大入賞口４０を閉鎖し、「特別変動入賞装置作動開始中」に切り替える（ステップＳ４２５）。また大入賞口入賞数が最大入賞数に至る前であっても、大入賞開放時間が経過した場合は（ステップＳ４２４：ＹＥＳ）、その時点で大入賞口４０を閉鎖し、「特別変動入賞装置作動開始中」に切り替える（ステップＳ４２５）。これにより、この特別変動入賞装置管理処理を終了してステップＳ１６１のＬＥＤ管理処理（図６）に移行する。
【０１４２】
一方、上記ステップＳ４０６（図１３）において特別変動入賞装置４１が作動中でないと判断された場合（ステップＳ４０６：ＮＯ）、処理状態が「特別変動入賞装置作動停止中」か否かを判断する（ステップＳ４１２）。
【０１４３】
「特別変動入賞装置作動停止中」の場合は（ステップＳ４１２：ＹＥＳ）、大入賞口４０が閉鎖されて一定時間（ラウンド間隔時間）が経過したか否かを判断する（ステップＳ４１３）。
【０１４４】
ラウンド間隔時間が経過した場合（ステップＳ４１３：ＹＥＳ）、「特別変動入賞装置作動開始前」に切り替える（ステップＳ４１４）。そして、特別変動入賞装置の作動回数（ラウンド数）があらかじめ定めた最大回数（たとえば１５ラウンド）に至ったか否かを判断する（ステップＳ４１５）。最大ラウンド数である１５ラウンドに至るまでの間は（ステップＳ４１５：ＮＯ）、「特別変動入賞装置作動回数」に１加算して（ステップＳ４１６）、ラウンド数の現在値を更新して行く。最大ラウンド数に至ったときは（ステップＳ４１５：ＹＥＳ）、「役物連続作動装置作動終了中」に切り替える（ステップＳ４１７）。そして、この特別変動入賞装置管理処理を終了する。
【０１４５】
一方、上記ステップＳ４１２において「特別変動入賞装置作動停止中」でないと判断された場合（ステップＳ４１３：ＮＯ）、役物連続作動装置が作動終了中か否かを判断する（ステップＳ４１８）。
【０１４６】
そして「役物連続作動装置作動終了中」である場合は（ステップＳ４１８：ＹＥＳ）、上記最終ラウンドの特別変動入賞装置４２の大入賞口４０が閉鎖された後のインターバル区間である大当り終了演出区間Ｔｂ（図１９参照）を定める一定時間が経過したか否かを判断する（ステップＳ４１９）。そして、この大当り終了演出区間Ｔｂを定める一定時間が経過した場合は（ステップＳ４１９：ＹＥＳ）、「役物連続作動装置作動停止中」に切り替え（ステップＳ４２０）、大当り終了処理を行う（ステップＳ４２１）。この大当り終了処理は、大当り終了後の上記特殊遊技への遊技状態移行準備のための移行準備設定処理に相当し、時短状態中（特別図柄時短機能や普通図柄時短機能の設定）、確変状態中（特別図柄確変機能や普通図柄確変機能の設定）、開放延長中（開放延長機能の設定）等、特殊遊技を発生させるための処理である。どの特殊遊技機能を設定するかは、大当りの種類毎に関連付けて定められている。
【０１４７】
具体的には、上記大当り終了処理は、大当り遊技中の期間とは別個の期間として、通常の遊技状態よりも遊技者に有利な遊技状態である特殊遊技状態に置く特殊遊技機能（特別図柄変動時間短縮機能、普通図柄変動時間短縮機能、確率変動機能、開放延長機能等が特殊遊技機能に該当する）を有効とした特殊遊技中の期間を出現させるための処理である。すなわち、上記大当り終了処理は、前記特別大当り後に前記特別遊技状態を発生させる特別遊技発生手段として相当し、本実施形態では、複数種類の特殊遊技状態のうちからいずれかの特殊遊技状態を発生させるかを、抽選された大当りの種類に基づいて決定している。
【０１４８】
その後、演出制御基板２７に、これらの遊技状態情報を含む「遊技状態指定」コマンドを送信し（ステップＳ４２２）、この特別変動入賞装置管理処理を終了する。なお、図示はしていないが、主制御基板（主制御ＣＰＵ）２７は、上記各特殊遊技機能を有効とした特殊遊技中の期間を終了させる特殊遊技終了設定手段としての機能部を有しており、各特殊遊技機能はそれぞれ所定の終了条件を満たした場合に無効とされ、これにより上記特殊遊技中の期間が終了する（上記終了条件についての詳細は後述する）。したがって、上記所定の終了条件を満たしたかどうかは、上記特殊遊技終了設定手段により遊技の進行に応じて監視されている。
【０１４９】
図６に戻り、主制御基板（主制御ＣＰＵ）２７は、上記の特別変動入賞装置管理処理に次いで「ＬＥＤ管理処理」を実行する（ステップＳ１６１）。このＬＥＤ管理処理は、処理の進行状態に応じて、普通図柄表示装置３８や特別図柄表示装置３９への出力データを作成したり、当該データに基づく制御信号を出力したりする処理である。
【０１５０】
そして、上記のようにステップＳ１５２〜ステップＳ１６１の処理を実行した後、レジスタの内容を復帰させ（ステップＳ１６２）、タイマ割込処理を終了する。
【０１５１】
次に、図１５〜図２３を参照して、本実施形態のパチンコ遊技機１の演出制御基板２４側における処理内容について説明する。先ず、図１５を参照して、演出制御基板２７の演出制御ＣＰＵが遊技動作制御プログラムに従い実行する演出制御側メイン処理について説明する。なお、図１５〜図２３にて説明する処理内容は、演出制御ＣＰＵにより実行されるものであるが、説明の便宜上、処理を実行する主体を演出制御基板２４として説明する。また、上述した主制御側メイン処理と実質的に同様の処理内容については重複記載を避けるため、適宜省略して説明する。
【０１５２】
（演出制御側メイン処理：図１５）
まず、遊技機本体に電源が投入されると、電源基板３１によって各制御基板に電源が投入された旨の電源投入信号が送信される。電源投入信号を受信した演出制御基板２４は、図１５に示す演出制御側メイン処理を開始する。
【０１５３】
この演出制御側のメイン処理において、まず、演出制御基板２４は、バックアップが正常であれば遊技動作開始前における必要な初期設定を実行し（ステップＳ５０１）、電源遮断前の処理状態に復帰させる復帰処理を実行する（ステップＳ５０２）。なお、電源遮断前の処理データ（バックアップデータ）は、瞬停やノイズによる電断等に対応する全てのＲＡＭ情報のバックアップデータではなく、必要最低限の遊技動作情報（たとえば、停止図柄、変動時間情報、遊技状態）のバックアップデータである。
【０１５４】
次に、電源遮断が発生したか否かを確認し（ステップＳ５０３）、電断の発生を確認した場合には（ステップＳ５０３：ＹＥＳ）、電源遮断時におけるデータを所定のバックアップ領域に保存し（ステップＳ５０８）、電断の発生を確認しない場合には（ステップＳ５０３：ＮＯ）、演出用乱数更新処理を実行する（ステップＳ５０４）。この演出用乱数更新処理では、主として、演出内容を選択するために利用される演出抽選用の乱数値を定期的に更新している。
【０１５５】
次に、コマンド受信割り込み、タイマ割り込み、外部ＩＮＴ等を許可する割り込み許可状態に設定し（ステップＳ５０５）、その後、割り込み禁止状態に設定する（ステップＳ５０６）。そして、ウォッチドッグタイマをクリアして（ステップＳ５０７）、電断が発生しない限り、ステップＳ５０３からステップＳ５０７の処理をループ処理にて実行する。
【０１５６】
（コマンド受信割込処理：図１６）
図１６は、コマンド受信割込処理を示すフローチャートである。ここではレジスタを所定のスタック領域に退避させた後（ステップＳ５２１）、演出制御コマンドをＲＡＭの所定領域に格納する処理を行い（ステップＳ５２２）、レジスタを復帰（ステップＳ５２３）する。主制御基板２７から送られてくる各種演出制御コマンドを受けた場合、ＩＮＴ割り込みが発生し、この受信割込処理にて、演出制御コマンドを受信した時点で、これをコマンド受信バッファに格納する。このコマンド受信割込処理は、次に述べる演出制御側タイマ割込処理（図１７）よりも優先して処理される。
【０１５７】
（演出制御側タイマ割込処理：図１７）
次に、図１７を参照して、演出制御基板２４における演出制御側メイン処理において、２ｍｓ程度ごとに実行されるタイマ割込処理について説明する。図１７は、一定時間ごとの割り込みで起動される演出制御側タイマ割込処理を示すフローチャートである。なお、このタイマ割込処理は、上記ＣＴＣ内部からのマスク可能な割り込み信号に基づいて実行される。
【０１５８】
まず、演出制御基板２４は、レジスタを所定のスタック領域に退避させるレジスタ退避処理を実行する（ステップＳ５３１）。次いでプログラム異常を監視しているウォッチドッグタイマをクリアして、タイマのカウントを再スタートさせる（ステップＳ５３２）。すなわち、演出制御基板２４の１チップマイクロコンピュータに内蔵されているウォッチドッグタイマを定期的にクリアするものであり、この定期更新処理が実行されない場合、たとえば、遊技動作制御に異常が発生してプログラムが暴走状態となった場合、ウォッチドッグタイマがタイムアップすると、演出用ＣＰＵが自動的にリセットされて前記暴走状態から復帰する。
【０１５９】
次に、演出用乱数値の更新や、各種タイマの更新をする定期更新処理を行う（ステップＳ５３３）。この定期更新処理では、ステップＳ５３５の演出シナリオ更新処理において作成される演出現出コマンドや液晶制御コマンドに応じた演出パターンを選択するために利用される演出用乱数の初期値を、割り込みごとに更新する。また、ステップＳ５３５の演出シナリオ更新処理において作成される演出現出コマンドや液晶制御コマンドにより定まる演出パターンの実行に必要な各種タイマの内容を割り込みごとに更新する。
【０１６０】
上記各種タイマの代表的なものは、演出制御基板２４や液晶制御基板２５による特定の演出の発生に関するタイムスケジュールを管理するタイマである。すなわち、特別図柄表示装置３８に特別図柄が変動されている変動期間内、すなわち特別図柄の変動期間と実質的に同一期間内である、液晶表示装置３６の画面に装飾図柄が変動表示されている変動期間内（装飾図柄変動期間内）において、その時間軸上でどのような演出パターンを、どれだけの時間幅をもって、演出手段（ＬＥＤ、液晶表示装置３６、装飾ランプ４５、スピーカ５８等）による演出を現出させるかについての時間的なスケジュールが、このタイマにより時間管理される。また、後述するコマンド解析処理（ステップＳ５３４）における獲得球数計数処理（ステップＳ６０２：図１８参照）で必要となる普通図柄作動中タイマや大当り遊技中タイマも管理されている。
【０１６１】
（コマンド解析処理（Ｓ５３４）：図１７、図１８）
次いで、演出決定管理処理として、コマンド解析処理（ステップＳ５３４）と演出シナリオ更新処理（ステップＳ５３５）を実行する。
【０１６２】
図１８にコマンド解析処理（ステップＳ５３４）の詳細を示す。このコマンド解析処理（図１８）では、上記コマンド受信バッファ（図１６のステップＳ５２２参照）に演出制御コマンドが格納されているか否かを割り込みごとに監視し、演出制御コマンドが格納されている場合、このコマンドを読み出して、演出パターン（演出シナリオ）を決定する（Ｓ５３４）。このコマンド解析処理では、上記コマンド受信割込処理で優先的に常に新しいものに更新された演出制御コマンドが処理されることになる。
【０１６３】
詳述するに、このコマンド解析処理では、図１８に示すように、演出制御基板２４は、主制御基板４００から演出制御コマンドを受信したか否か、すなわちコマンド受信割込処理（図１６参照）のステップＳ５２２の処理において、上記演出制御コマンド格納領域に演出制御コマンドが格納されているか否かを判断する（ステップＳ６０１）。
【０１６４】
演出制御コマンドを受信していなければ（ステップＳ６０１：ＮＯ）、何もしないでコマンド解析処理を終了する。
【０１６５】
一方、演出制御コマンドを受信していた場合（ステップＳ６０１：ＹＥＳ）、詳細は図２０にて後述する獲得球数計数処理を行った後（ステップＳ６０２）、コマンド受信処理を実行する（ステップＳ６０３）。このコマンド受信処理では、各種演出制御コマンドに基づく演出パターン（演出シナリオ）を抽選により決定し、決定した演出パターンに沿った演出を現出させるための演出パターンデータを作成し設定する。
【０１６６】
図１７に戻り、上記のコマンド解析処理を実行した後、次に、演出シナリオ更新処理（ステップＳ５３５）を実行する。
【０１６７】
この演出シナリオ更新処理では、コマンド解析処理（ステップＳ５３４）のコマンド受信処理（図１８のステップＳ６０３）において決定された演出パターンデータに基づき、装飾ランプ４５やＬＥＤやスピーカ５８等の作動を制御する演出現出コマンド（発光コマンドや音声コマンド）の作成と、液晶表示装置３６に演出表示させるための液晶制御コマンドの作成を行う。そして、作成した演出現出コマンドおよび液晶制御コマンドを、所定のコマンド格納領域（演出制御基板のＲＡＭの領域）に格納して、コマンド受信割込処理を終了する。
【０１６８】
次に、演出制御基板２４は、上記所定のコマンド格納領域における液晶制御コマンドの有無を判断する（ステップＳ５３６）。液晶制御コマンドが有る場合（ステップＳ５３６：ＹＥＳ）、演出制御基板２４は、液晶制御コマンドを、映像の再生が必要なタイミングで液晶制御基板２５に送信する（ステップＳ５３７）。これにより、液晶表示装置３６において演出シナリオに沿って画像が変化するようになっている。
【０１６９】
上記ステップＳ５３４〜Ｓ５３７の演出を決定する管理処理に続いて、演出制御基板２４は、上記所定のコマンド格納領域において再生する音データの音声コマンドが有るか否かを判断する（ステップＳ５３８）。再生する音データの音声コマンドが有る場合（ステップＳ５３８：ＹＥＳ）、演出制御基板２４は、音の再生が必要なタイミングで、サウンドＬＳＩの音声コマンドを入力し、音源ＩＣを通じてスピーカ５８から音を出力させる（ステップＳ５３９）。これにより、演出シナリオに沿った効果音がスピーカ５８から発生される。
【０１７０】
続いて、ＬＥＤ出力処理がなされる（ステップＳ５４０）。このＬＥＤ出力処理は、上記音声コマンドがサウンドＬＳＩに送信された場合、この情報を受け、対応する演出に伴い発光コマンドを装飾ランプ４５やＬＥＤに送信し点灯もしくは点滅させて光による演出を実現する。
【０１７１】
そして、ステップＳ５３１〜ステップＳ５４０の処理を実行した後、退避したレジスタの内容を復帰させ（ステップＳ５４１）、演出制御側タイマ割込処理を終了する。
【０１７２】
［遊技状態遷移図］
次に、大当りが発生した遊技中における獲得球数を計数する方法を図１９を参照しながら詳細に説明する。ここでは、遊技進行の代表例として、まず、潜伏確変モード確定となる図柄（潜伏確変確定図柄）で大当りし、次いで確変モード確定となる図柄（確変確定図柄）で大当りし、最後に非確変モード確定となる図柄（非確変確定図柄）で大当りして、通常遊技に戻る場合を説明する。なお、図に示すｔ０〜ｔ１３における各時間幅は、説明の便宜上誇張して示している。したがって、図面上、同じ長さの時間幅で記載されていても異なる時間幅の場合がある。
【０１７３】
（１−１）大当り中
図１９において、時刻ｔ０〜ｔ３はＳラウンド潜伏確変確定図柄（大当り遊技として特別変動入賞装置の作動回数（ラウンド数）が２回、大当り終了後に移行する特殊遊技として潜伏確変状態となる特別図柄：２ラウンド潜伏確変確定図柄）で大当り中の区間を示し、時刻ｔ４〜ｔ７はＲラウンド確変確定図柄（大当り遊技として特別変動入賞装置の作動回数が１５回、大当り終了後に移行する特殊遊技として確変時短遊技状態となる特別図柄：１５ラウンド確変確定図柄）で大当り中の区間を示し、時刻ｔ８〜ｔ１２はＲラウンド非確変確定図柄（大当り遊技として特別変動入賞装置の作動回数が１５回、大当り終了後に移行する特殊遊技として時短状態となる特別図柄：１５ラウンド非確変確定図柄）で大当り中の区間を示す。これらの「大当り中」の区間は、それぞれ、大当りが発生した直後のインターバル区間である「大当り開始演出中」（１５ラウンド確変確定図柄および１５ラウンド非確変確定図柄で大当りの場合には「大当り開始演出中Ｔａ（たとえば１０秒）」、２ラウンド潜伏確変確定図柄で大当りの場合には「大当り開始演出中Ｔａ’（たとえば５．９秒）」）と、特別変動入賞装置４２の開放扉４２ｂが所定回数（Ｒ回、Ｓ回）開閉動作する区間である「大当り遊技中」と、大当り遊技が終了した直後のインターバル区間である「大当り終了演出中」（１５ラウンド確変確定図柄および１５ラウンド非確変確定図柄で大当りの場合には「大当り終了演出中Ｔｂ（たとえば１６．７秒）」、２ラウンド潜伏確変確定図柄で大当りの場合には「大当り終了演出中Ｔｂ’（たとえば３秒）」）との３つの区間からなる。各大当り中の基本的な動作は同じなので、代表的に時刻ｔ４〜ｔ７の区間について説明する。
【０１７４】
時刻ｔ４は、遊技球が上始動口３４または下始動口３５に入賞して、特別図柄変動表示ゲーム（図１２の特別図柄管理処理）により、特別図柄表示装置３８の特別図柄が停止して所定の停止表示態様が表示された場合、すなわち上記ゲームの抽選結果として「大当り」が発生した時点である。
【０１７５】
特別図柄表示装置３８に特別図柄が大当りの図柄で停止すると、主制御基板２７から送信される「大当り開始表示」コマンドを演出制御基板２４が受信し、同演出制御基板２４から同じ名称の「大当り開始表示」コマンドが液晶制御基板２５に送信されて、大当り開始演出が開始される（図１９のｔ４）。
【０１７６】
この大当りが発生した時点から大当り開始演出がなされ、所定の一定時間Ｔａ（大当り開始演出時間）が経過すると、第１ラウンド目が開始し特別変動入賞装置４２の開放扉４２ｂが開放され、大入賞口４０が開放される（図１９のｔ５、図１３のＳ４０９〜Ｓ４１１参照）。この特別変動入賞装置４２の大入賞口４０は、所定秒数（本例では２９秒）だけ開放されるか、または所定個数ｎ個（本例では１０個）の遊技球が大入賞口４０に入賞するまで開放される（図１４のＳ４２３〜Ｓ４２５）。そして、遊技球が大入賞口４０に入賞すると、入賞球１個あたりｍ個（本例では１３個）の賞球数が払い出される。大入賞口４０が開放されたことは、「開放表示」コマンドが演出制御基板で受信され、同演出制御基板から同じ「開放表示」コマンドが液晶制御基板２５に送信されて、開放表示演出が現出される（図１９のｔ５）。なお、特別変動入賞装置４２の大入賞口４０の開放時間は本例（１５ラウンドでの大当りの場合）では２９秒間開放となるが、２ラウンドでの大当りの場合にはこれよりも短い０．５秒間開放となっている。
【０１７７】
この特別変動入賞装置４２の開放扉４２ｂは所定のパターンに従って開閉される。ここでは所定のラウンド間インターバルを置いて、ラウンド数であるＲ回（本例では１５回）だけ継続して開閉される。このラウンド間インターバルは、図示してないが、各１回の大入賞口４０の開閉動作がなされると、大入賞口４０が閉鎖したときから次回のラウンド開始まで所定時間（たとえば２秒）だけ、開放扉４２ｂを閉鎖状態に維持するために置かれる時間間隔（以下「開放インターバル」という）である。なお、各開放インターバルの到来時には、主制御基板２７から「開放インターバル表示」コマンドが送信され、これを演出制御基板２４が受信し、これと同じコマンドを液晶制御基板に送信して、同コマンドに対応する開放インターバル演出が表示される。
【０１７８】
この大入賞口４０の開放と開放インターバルの繰り返しからなる大当り遊技中、開放された大入賞口４０に遊技球が入賞して行く。なお、大当り遊技中以外の区間では、大入賞口４０の開放は行なわれない。したがって大当り遊技中以外の区間での大入賞口４０への入賞は正規の入賞ではなくゴト行為による不正入賞として扱われ、エラー管理処理（図６のステップＳ１５５参照）にて所定のエラー処理が実行される。
【０１７９】
大当り遊技中は、最終ラウンドである第１５回目の大入賞口４０を閉鎖し（図１９のｔ６）、一定時間が経過することで終了となる（図１９のｔ７）。このとき、主制御基板２７から「大当り終了表示」コマンドが送信され、これを演出制御基板２４が受信し、これと同じコマンドを液晶制御基板２５に送信して、同コマンドに対応する大当り終了演出が表示される。この大当り終了演出は所定の一定時間Ｔｂだけなされ、所定時間Ｔｂが経過すると大当り区間は終了となる（図１９のｔ７、図１４のＳ４１９〜Ｓ４２２参照）。この大当り終了演出としては、たとえばロゴマークを液晶表示装置に表示させる、獲得球数情報（詳細は後述する）を表示させる、等がある。なお２ラウンドの大当り遊技が実行される大当り（以下、必要に応じて「２ラウンドの大当り」と称する）中での大当り遊技の動作は、特別変動入賞装置４２の大入賞口４０の開閉動作、大当り開始演出中期間、大当り終了演出中期間等が１５ラウンドとなる大当り中での遊技の動作と異なる点を除き、その他はｔ５〜ｔ６の区間の同じ遊技の動作である。また本実施形態では、上記「大当り中」の区間は、「大当り開始演出中」と、「大当り遊技中」と、「大当り終了演出中」との３つの区間からなると説明したが、上記「大当り中」の区間は「大当り遊技中」の区間を含んでいれば良く、「大当り開始演出中」や「大当り終了演出中」の区間を含まなくても良い。
【０１８０】
（１−２）潜伏確変状態中
第１回目の大当りである２ラウンド潜伏確変確定図柄での大当りに続いて、遊技状態は「潜伏確変状態中」（図１９のｔ３〜ｔ４）に入る。図１９における「潜伏確変状態中」とは、本実施形態では、大当りの抽選確率を上昇させて高確率とした遊技状態のみが生起している状態である。すなわち、大当り確率を高確率（確変状態）とするため、主制御基板（主制御ＣＰＵ）２７は、特別図柄に関する確変機能を作動させ、特別図柄に関して大当り判定値の内容を変更する。たとえば、大当りとなる抽選確率は低確率時では１／３１０．６であるが、この大当りとなる抽選確率を１０／３１０．６に上昇させる。なお、普通図柄に関しては、時短状態でもなく確変状態にもなっていない（図３３参照）。この潜伏確変状態中では、特別図柄に関する確変機能のみが作動する点で通常遊技とは異なる。
【０１８１】
（１−３）第２回目の大当り
上記潜伏確変状態中（ｔ３〜ｔ４）に、１５ラウンド確変確定図柄で大当りすると、遊技状態は続いて第２回目の大当りである「１５ラウンド大当り（１５ラウンド確変確定図柄大当り）中」（図１９のｔ４〜ｔ７）に入る。この１５ラウンド大当り中での大当り遊技の動作は、既に説明した通りである。
【０１８２】
（１−４）確変・時短状態中
続いて遊技状態は「確変・時短状態中」（図１９のｔ７〜ｔ８）に入る。これは確変状態と時短状態が同時に生起している遊技状態である。
【０１８３】
図１９における「確変時短状態中」における確変状態とは、本実施形態では、大当りの抽選確率を上昇させて高確率とした遊技状態と、補助当り（補助遊技）の抽選確率を上昇させて高確率とした遊技状態とが、同時に生起している状態であり、この点で大当りの抽選確率のみを上昇させた上記（１−２）の潜伏確変状態とは異なる。すなわち、大当りの抽選確率を高確率（確変状態）とするため、主制御基板（主制御ＣＰＵ）２７は、特別図柄に関する確変機能を作動させ、特別図柄に関して大当り判定値の内容を変更する。たとえば、大当りとなる抽選確率は１／３１０．６であるが、この大当りとなる抽選確率を１０／３１０．６に上昇させる。さらに普通図柄に関しても、主制御基板（主制御ＣＰＵ）２７は、普通図柄に関する確変機能を作動させ、補助当り判定値の内容を変更する。たとえば、普通図柄が当りとなる抽選確率は５／２５６であるが、この当りとなる抽選確率を２５５／２５６に上昇させる。
【０１８４】
また、時短状態とするため、特別図柄に関し、主制御基板２７は時短機能（特別図柄時短機能）を作動させ、通常遊技よりも相対的に特別図柄変動時間を短縮する。たとえば通常遊技中の特別図柄変動時間は、１１〜６０秒（大当りやリーチになる場合は１３〜６０秒、それ以外は１１秒）であるが、この特別図柄変動時間を２〜３７秒（大当りやリーチになる場合は８〜３７秒、それ以外は２秒）に短縮する。さらに普通図柄に関しても同様に、時短機能（普通図柄時短機能）を作動させ、通常遊技よりも相対的に普通図柄変動時間を短縮する。たとえば通常遊技中の普通図柄変動時間は１０秒であるが、この普通図柄変動時間を１秒に短縮する。すなわち、図１９における「確変・時短状態中」における「時短状態」とは、この特別図柄変動時間を短縮した時短状態と普通図柄変動時間を短縮した時短状態とが、同時に生起している遊技状態となる。
【０１８５】
混同してはならないのは、図１９の「時短状態中」と記した区間（ｔ１２〜ｔ１３）との違いである。図１９の「時短状態中」と記した区間（ｔ１２〜ｔ１３）は、特別図柄に着目して「時短状態中」と表記したものである。すなわち特別図柄に着目すると、上記区間（ｔ１２〜ｔ１３）は時短状態のみであり、確変状態ではなくなっている。しかし、普通図柄に関しては、上記区間（ｔ１２〜ｔ１３）は時短状態であるだけでなく確変状態にもなっている点である。
【０１８６】
また、主制御基板２７は上記確変・時短状態に、所定の終了条件を満たすまで（ここでは、大当りが発生するまで）開放延長機能を作動させて開放延長中の期間を出現させる。この開放延長中では、普通変動入賞装置４１の可動翼片４７の作動時間を延長して下始動口３５の開放時間および開放回数を通常遊技よりも延長する。たとえば通常遊技中（開放延長機能未作動時）では下始動口３５の開放時間は０．２秒で開放回数は１回であるが、開放延長中では上記開放時間を１．７秒に延長し、開放回数も２回に延長する（１．７秒間開放し、その後１秒のインターバル時間を経て、１．７秒間開放する）。図１９において「開放延長中」と記している区間が、上記「確変・時短状態中」（ｔ３〜ｔ４、ｔ７〜ｔ８）のみでなく「時短状態中」（ｔ１２〜ｔ１３）の区間にも及んでいるのは、時短状態においても同様に所定の終了条件を満たすまで開放延長機能を作動させて開放延長中の期間を出現させているからである。
【０１８７】
したがって図１９に示す確変時短状態および時短状態中では、補助当りとなる抽選確率が上昇すると共に、普通変動入賞装置４１の作動時間が延長され、可動翼片４７による下始動口３５の開放時間および開放回数が通常遊技よりも延長される。このため下始動口３５への入賞確率が高くなり、出玉に影響を及ぼすことが想定される。一方、普通変動入賞装置４１は、大当り中の区間においても作動する可能性がある。しかし、大当り中は、開放延長中ではない区間であり、普通変動入賞装置４１が作動する確率も開放延長中に比べて低く（通常遊技と同じ）設定されているため、大当り中の比較的短い時間で下始動口３５が開放されたとしても、下始動口３５への入賞は稀であり出玉にはほとんど影響を及ぼさないと推測される。
【０１８８】
（１−５）第３回目の大当り
上記確変・時短状態中（ｔ７〜ｔ８）に１５ラウンド非確変図柄で大当りすると、遊技状態は第３回目の大当りである「１５ラウンド大当り中」（図１９のｔ８〜ｔ１２）に入る。この１５ラウンド大当り中での遊技の動作は、上記のｔ４〜ｔ７の区間と同じである。
【０１８９】
次に、上記の「１５ラウンド大当り中」が終了すると（図１９のｔ１２）、「時短状態中」（図１９のｔ１２〜ｔ１３）に入る。この「時短状態中」での遊技では、特別図柄に関して、上記確変・時短状態中（ｔ７〜ｔ８）から確変状態の動作をなくし、時短状態と下始動口３５についての開放延長機能が働いているだけの動作となる。なお、普通図柄に関しては確変状態および時短状態の両方が続いている。
【０１９０】
そして、この時短状態中（図１９のｔ１２〜ｔ１３）は、上始動口３４または下始動口３５に遊技球が入賞して、特別図柄変動表示ゲームが所定回数（本例では１００回）なされる、つまり特別図柄の変動が１００回なされるか、または大当りが発生することを条件として終了となる（図１９のｔ１３）。そして、通常遊技中（図１９のｔ１３以降）、すなわち時短状態でもなく確変状態でもなく開放延長でもない遊技状態へと戻る。
【０１９１】
（２−１）大当り中の獲得球数
ここで遊技者が大当り１回につき獲得できると推定される獲得球数を考えて見る。獲得球数の算出方法としては、大当り中（または大当り遊技中）に賞球を伴う入賞口（本実施形態では、上始動口３４、下始動口３５、大入賞口４０、一般入賞口４３が該当する）への入賞を条件に、単にその賞球数を累積的に加算していく方法でも良いが、この方法では、賞球数を得るために遊技者の損失となる球数（減少分）、つまり大当り中（または大当り遊技中）に発射装置３２から発射された打出球数が考慮されておらず、正確な獲得球数であるとは言い難い。したがって、より正確な獲得球数を算出するためには、以下の２通りの計数手法が考えられる。
【０１９２】
（２−１−１）大当り中の獲得球数（形態１）
遊技者の利得となる球数（増加分）は、賞球を伴う各入賞口に入賞した遊技球数に基づく賞球数の総払出数であり、また遊技者の損失となる球数（減少分）は、大当り中に発射装置３２から発射された総打出球数であると考えられる。したがって、前者の増加分から後者の減少分を差し引くことにより、大当り中に遊技者が獲得した獲得球数を求めることができる。
【０１９３】
また特別変動入賞装置４２の大入賞口４０には、１回（１ラウンド）の開放時間内に常に一定数の入賞球があるとは限らない。１ラウンドの終了条件（図１４のステップＳ４２３参照）となる最大入賞数（ここでは１０個とする）の遊技球が入賞したときや大入賞口開放時間が経過してしまい最大入賞個数未満の場合（たとえば９個）、偶然にも大入賞口４０が閉鎖される直前に連続して遊技球が大入賞口４０内に流入し、最大入賞数を超えて入賞する（たとえば１１個）もある。このように、１回の開放時間内の入賞球数にはバラツキがある。また大入賞口４０は、開放インターバル時間を挟んで所定回数回開放されるので、そのようなバラツキのある遊技球の入賞が規定のラウンド間にわたって発生する。したがって、１回の大当り遊技中に獲得される獲得球数もまた常に一定とはなる訳ではなく、バラツキがある。
【０１９４】
しかし、上記のように大当り中の賞球数の総払出数から大当り中の総打出球数を差し引き、その結果の球数を獲得球数として推定する、という方法によれば、上記のバラツキをも考慮した正確さの増した推定獲得球数を得ることができる。
【０１９５】
具体的には、大当り中に上記賞球を伴う各入賞口へ遊技球が入賞する毎に、前記各入賞口別に約束づけられた入賞球１個当りの所定の賞球数を獲得球数用のカウンタ（獲得球数を記憶する記憶手段が該当する。以下、「獲得球数カウンタ」と称する）を用いて、加算して行く。すなわち、大当り中の期間の経過時間に基づいて算出される賞球数の小計払出数と、上記大当り中の期間の経過時間に基づいて算出される発射装置３２の小計打出球数とを求め、上記小計払出数と上記小計打出球数の差に相当する球数を直前の獲得球数カウンタの記憶保持値である獲得球数Ｖに加算して現在の獲得球数Ｖとする。このようにすると、獲得球数の報知が必要になった場合、その時点で、その獲得球数カウンタの積算値を読み出して表示させることができる。
【０１９６】
（２−１−２）大当り中の獲得球数（形態２）
上記形態１では、賞球を伴う各入賞口（本実施形態では、上始動口３４、下始動口３５、大入賞口４０、一般入賞口４３が該当する）に入賞した遊技球数に基づく賞球数の総払出数から遊技者の損失となる球数（減少分）として大当り中に発射装置３２から発射された総打出球数を減算することにより、大当り中に遊技者が獲得した獲得球数を求める方法について説明した。
【０１９７】
ここでは、大当り中（大当り遊技中）に遊技者の獲得球数が増加する支配的な要因である大入賞口４０への入賞に着目して獲得球数を算出する方法を示す。
【０１９８】
大当り遊技中では大入賞口４０が開放されるため、打ち出した遊技球の多くは、この大入賞口４０へ入賞することになる。遊技者が大当り１回につき獲得できると推定される獲得球数を考えてみる。まず、大入賞口４０に１個の遊技球が入賞することで、ｍ個（本例では１３個）の賞球数の払い出しがなされる。すなわち、純増個数は１２個となる。
【０１９９】
しかし特別変動入賞装置４２の大入賞口４０が開放された場合でも、打ち出した遊技球の全てが入賞するわけではない。１個の遊技球が入賞するためには、遊技くぎの配列構成やその調整具合、さらには風車４４や各入賞口等の遊技部品により遊技球の落下方向に変化が付与されるため、２〜５個程度は遊技球を無駄にしなければならないのが一般的である。すなわち遊技機の個性や遊技球流下特性により異なる値ではあるが、ここでは遊技球を３個打ち出すと、そのうちの１個が入賞し、他の２個は入賞しない無駄球となるパチンコ遊技機を例にとって説明する。この大入賞口に１個の遊技球を入賞させるために要する無駄球の数を、ここでは「大入賞口開放時に１入賞させるための必要無駄球数」と称し、Ｙ個が発生するものとする。
【０２００】
上記のことから、大入賞口４０に遊技球を１個入賞させた場合の推定純増個数Ｕは次の数式で表現することができる。
賞球数（ｍ＝１３個）−１個（入賞球）−Ｙ（開放時に１入賞させるための必要無駄球数）＝１入賞当りの推定純増個数Ｕ
【０２０１】
ここで、上記の開放時に１入賞させるための必要無駄球数Ｙは、あらかじめ試射試験や経験則等から算出して知ることができ、遊技機の個性に応じた既知の規定数値として導入される。すなわち１または同種類の２以上の弾球遊技機において実測され評価された前記必要無駄球数Ｙの評価値として導入することができる。この必要無駄球数Ｙは、一般的には、遊技機の機種ごとに異なる値である。本実施形態の場合、上記の例と同じく、３個打ち出すと、そのうちの１個が入賞し、他の２個は入賞しない無駄球（Ｙ＝２）となるものとする。この特性のパチンコ遊技機の場合、上記式から、「１入賞当りの推定純増個数Ｕ」は次式のように１０個となると推定される。
１３個（賞球数ｍ）−１個（入賞球）−２個（１入賞させるための必要無駄球数Ｙ）＝１０個／１入賞（１入賞当りの推定純増個数Ｕ）・・・（１）
【０２０２】
特別変動入賞装置４２の大入賞口４０には、１回（１ラウンド）の開放時間内に常に一定数の入賞球があるとは限らない。１ラウンドの終了条件（図１４のステップＳ４２３参照）となる最大入賞数（ここでは１０個とする）の遊技球が入賞するときや、大入賞口開放時間が経過してしまい最大入賞個数未満の場合（たとえば９個）や、大入賞口４０が閉鎖される直前に連続して遊技球が大入賞口４０内に流入し、最大入賞数を超える場合（たとえば１１個）もある。このように、１回の開放時間内の入賞球数にはバラツキがある。また大入賞口４０は、開放インターバル時間を挟んで所定回数開放されるので、そのようなバラツキのある遊技球の入賞が規定のラウンド間にわたって発生する。したがって、１回の大当り中に獲得される獲得球数もまた常に一定とはなる訳ではなく、バラツキがある。
【０２０３】
そこで、このようなバラツキをも考慮に入れて、できるだけ正確に大当り遊技中の獲得球数を知得する必要がある。ここで１回のラウンドで獲得できる球数を推定し、この推定球数にラウンド数を単に乗算することで、大当り遊技中の獲得球数を算出し大当り中の獲得球数とする、という方法が考えられる。
【０２０４】
しかし、大当り遊技中に遊技者が獲得できる獲得球数を考える場合、大入賞口４０の１回の開放時間内に入賞する遊技球数のバラツキを考慮して推定することや、大当り遊技中に継続されるラウンド数、つまり大当り遊技中に大入賞口４０が何回開放されたか、により獲得球数を知る、という方向からアプローチすることは、比較的煩雑で不正確な計数方法となる。
【０２０５】
そこで、上記１入賞当りの推定純増個数Ｕがあらかじめ既知量とし、大入賞口４０への入賞球が１個発生する度に上記１入賞当りの推定純増個数Ｕを積算して行くだけで、大当り遊技中に獲得した獲得球数を計数する。すなわち、上記１入賞当りの推定純増個数Ｕが１０個の場合、大入賞口４０への入賞球が１個検出される度に１０個を獲得球数カウンタに加算して行き、必要になった時点で、そのカウンタの積算値を読み出して表示させれば良い。
【０２０６】
大当り遊技中に実際に大入賞口４０に入賞する遊技球の入賞球数にはバラツキがあるが、たまたまｎ個の入賞があったとすると、そのｎ個分の賞球、つまり１入賞当りの推定純増個数Ｕをｎ倍とした値が、大当り遊技中に遊技者が獲得した獲得球数Ｖとして算出される。
【０２０７】
上記１入賞当りの推定純増個数Ｕが１０個で、大入賞口４０の１回の開放で平均１０個が入賞し、それが１５ラウンドあるとすると、獲得球数Ｖは、１０個（推定純増個数Ｕ）×１５０個（大当り遊技中の総入賞球数ｎ：ここでは、１ラウンド中の平均入賞球数が１０個で、ラウンド数Ｒが１５ラウンドあるとしているため、ｎを１５０個として試算）＝１５００個（獲得球数Ｖ）となるので、概算として、遊技者が１回の大当り遊技において遊技者が獲得できる純増個数は１５００個前後であると推測される。
【０２０８】
上述した「大当り遊技」は、確変・時短状態中または時短状態中に大当りを引き続けることにより連荘する。本実施形態では、この連荘が続く限り、上記獲得球数カウンタは、上記１入賞当りの推定純増個数Ｕを積算して行く。すなわち、この連荘中も、大入賞口４０への入賞球が１個発生する度に上記１入賞当りの推定純増個数Ｕを積算して行くだけで、連荘中における獲得球数を知ることができる。
【０２０９】
以上では、大当り中の獲得球数の概要について説明した。なお、確変時短状態中および時短状態中に生起される開放延長中の獲得球数については、図２０のステップＳ７０８（開放延長中獲得球数計数処理）でその詳細を説明する。
【０２１０】
（３−１）連荘中の獲得球数
上述した「大当り（大当り遊技）」は、確変・時短状態中または時短状態中に大当りを引き続けることにより連荘する。この連荘が続く限り、上記獲得球数カウンタは、上記獲得球数を積算して行く。すなわち、この連荘中も、前回までの大当りの獲得球数に今回の大当りの獲得球数を積算して行くだけで、連荘中における獲得球数を知ることができる。
【０２１１】
ここで、本発明では上記「連荘」中の獲得球数に着目し、大当りの種類に応じて獲得球数計数の開始となるタイミングを定めている。具体的には、どのような特殊遊技を発生させる契機となる大当りであるかどうかに応じて獲得球数の計数を開始するか、しないかを定めている。
【０２１２】
詳述するに、一般的に、複数回に亘る大当りを引いた場合に「連荘」として扱われるのは、遊技者が手持ちの遊技球数（持ち玉）を減らす可能性が低い遊技状態下で、再び大当りを引いた場合である。本実施形態では、確変時短状態中（図１９のｔ７〜ｔ８）または時短状態中（図１９のｔ１２〜ｔ１３）に大当りを引いた場合、大当りが「連荘」したものとして扱い、この連荘中の獲得球数を計数する。
【０２１３】
本実施形態の確変時短状態中または時短状態中は、遊技者が持ち玉を減らすことなく（持ち玉が減る可能性が極めて低い）大当り抽選を受けることができる遊技状態、つまり連荘チャンス状態である。この状態で大当りを引ければ、持ち玉を短時間で増加させることができる。遊技者の最大の関心事は、上記連荘チャンス状態下で再び大当りを引いて連荘を継続させ、この連荘中にどの程度の遊技球数を獲得できたかにあると言え、連荘中の獲得球数を知得することは遊技意欲の向上にも繋がる。
【０２１４】
したがって、連荘開始となる大当りではない大当りの発生を契機に獲得球数を計数する必要性は乏しい。このため本発明では、連荘チャンス状態となり得る大当りの発生を、計数開始タイミングの条件として定めている。
【０２１５】
本実施形態における各大当りを付随する特殊遊技の種類に着目して区分すると、上記連荘チャンスとなり得る大当り、つまり時短状態または確変時短状態の発生契機となる大当りである「１５ラウンド確変確定図柄大当り」、「１５ラウンド非確変確定図柄大当り」、「２ラウンド突然確変確定図柄大当り」、および「２ラウンド突然時短確定図柄大当り」（これらの大当りは、特別遊技状態（確変時短状態または時短状態）の発生契機となる「特別大当り」に相当する）と、これ以外の大当りである「２ラウンド潜伏確変確定図柄大当り」と、に区分される（図３３参照）。
【０２１６】
本発明では、通常遊技中に抽選された大当りである「初当り」が上記特別大当りである場合、その特別大当りの発生を条件として大当り中の獲得球数の計数を開始するようにしている。
【０２１７】
しかし上記特別大当りが「初当り」であっても、上記２ラウンドの大当りの場合には、これを計数対象とする必要性に乏しい場合ある。上記２ラウンドの大当りは、その性質上、遊技者に利益を与えるという目的よりも、大当り中に現出される特別な演出を利用して遊技者の遊技興趣を誘う目的として利用され、特にその大当り後に移行する特殊遊技への移行期待演出としての目的が強く、それ故、大入賞口４０の開放時間が短く、また開放回数も少なく設定しているものがある。このような大当り中に遊技者が遊技球を打ち出したとしても、大入賞口４０や他の入賞口に入賞する確率は低く、その結果、微量の球数を獲得できるか、または全く獲得できない可能性が高い。
【０２１８】
そこで、本実施形態では、特別大当りを区分し、「１５ラウンド確変確定図柄大当り」と「１５ラウンド非確変確定図柄大当り」とを第１群に属する大当り（第１群特別大当り）とし、「２ラウンド突然時短確定図柄大当り」と「２ラウンド突然確変確定図柄大当り」とを第２群に属する大当り（第２群特別大当り）として区分し、初当りが計数対象として有意義である上記第１群に属する大当りの発生を、獲得球数の計数開始タイミングの条件として定めている（後述する図２０参照）。
【０２１９】
連荘中に獲得することができる獲得球数は、おおまかな計算であるが、遊技者が大当りｋ回（１５ラウンド大当りｋ’回、２ラウンド大当りｋ−ｋ’回）の連荘で獲得できる獲得球数は、１回の１５ラウンド大当りで獲得できる獲得球数を約１５００個、１回の２ラウンド大当りで獲得できる獲得球数を約１０個とすると、それぞれの大当りによる獲得球数をその大当り回数で乗算した値の合計かまたはその前後の値になると推測される。図１９の具体例の場合、大当りは３回であるが、初当りが「２ラウンド潜伏確変確定図柄大当り」であるので、この大当り中の獲得球数は計数しない。したがって、連荘中の大当りは、１５ラウンド大当りが２回（ｋ’＝２回）、２ラウンド大当りが０回（ｋ−ｋ’＝０回）となり、大当り２回の連荘で上記獲得球数カウンタは、約３０００個の獲得球数を積算値として保持しているものと推測される。
【０２２０】
［獲得球数計数処理：図２０］
次に、獲得球数計数処理（図１８のＳ６０２）の詳細について説明する。図２０に獲得球数計数処理のフローチャートを示す。
【０２２１】
この獲得球数計数処理においては、まず、「大当り中」であるか（ステップＳ７０１）、「確変時短状態中」であるか（ステップＳ７０２）、「時短状態中」であるか（ステップＳ７０３）、を順に見て行く。すなわち、現在の遊技状態がどの遊技状態であるか否かを判断する。どの遊技状態であるかは、主制御基板２７から送信される遊技状態指定コマンドから知ることができる。
【０２２２】
「大当り中」である場合（ステップＳ７０１：ＹＥＳ）、次に、現在の大当りが「初当り」であるか否かを判断する（ステップＳ７０５）。初当りであるか否かは、直前の遊技状態が通常遊技であるか否かにより判断される。初当りでなければ（ステップＳ７０５：ＮＯ）、ステップＳ７０７の「大当り遊技中獲得球数計数処理」に移行し、初当りであれば（ステップＳ７０５：ＹＥＳ）、次に特別大当りであるか否かを判断する（ステップＳ７０６）。
【０２２３】
ここで、ステップＳ７０６の判断処理では、本実施形態では、「１５ラウンド確変確定図柄大当り」か、または「１５ラウンド非確変確定図柄大当り」あるか否か、つまり第１群特別大当りであるか否かを判断する。上記第１群特別大当りである場合には（ステップＳ７０６：ＹＥＳ）、ステップＳ７０７の「大当り遊技中獲得球数計数処理」に移行し、上記第１群特別大当りでない場合（ステップＳ７０６：ＮＯ）、そのまま何もせずに獲得球数計数処理を終了する。
【０２２４】
図１９の具体例の場合、初当りが２ラウンド潜伏確変図柄で大当り（ｔ０〜ｔ３）であるので、その大当り中においてはステップＳ７０１の判断がＹＥＳとなり、続くステップＳ７０５の判断処理では、今回の大当りが初当りであるのでその判断がＹＥＳとなり、続くステップＳ７０６の判断処理では、今回の大当りが特別大当りではないのでその判断はＮＯとなり、これにより獲得球数計数処理を終了する。
【０２２５】
図１９の具体例に従い、遊技状態は、上記大当り遊技中（ｔ１〜ｔ２）から大当り終了演出中Ｔｂのインターバル期間を経て、潜伏確変状態中（ｔ３〜ｔ４）に移行する。
【０２２６】
潜伏確変状態中（ｔ３〜ｔ４）に移行すると、これにより図２０のステップＳ７０１〜Ｓ７０３における判断がすべてＮＯとなるので、ステップＳ７０７に進み、後述する獲得球数クリア処理を経て、これにより獲得球数計数処理を終了する。つまり潜伏確変状態中では、通常遊技中と同じ処理手順を辿ることになる。
【０２２７】
次いで図１９の具体例に従い、潜伏確変状態中に１５ラウンド確変確定図柄で大当りを引くと、遊技状態は、１５ラウンド大当り中（確変図柄）に移行する。この大当り中においてはステップＳ７０１の判断がＹＥＳとなり、続くステップＳ７０５の判断処理では、今回の大当りが初当りでないのでその判断はＮＯとなり、ステップＳ７０７の「大当り遊技中獲得球数計数処理」に移行する。
【０２２８】
（大当り遊技中獲得球数計数処理：図２１Ａ、図２１Ｂ）
図２１Ａおよび図２１Ｂに大当り遊技中獲得球数計数処理の詳細を示す。先ず、図２１Ａを参照し、上記（２−１−１）大当り中の獲得球数（形態１）における計数処理の内容を詳細に説明する。
【０２２９】
（形態１の大当り遊技中獲得球数計数処理：図２１Ａ）
図２１Ａに大当り遊技中獲得球数計数処理の詳細を示す。ここでは、大当り中に獲得球数が増加する支配的な遊技状態である「大当り遊技中」に着目した計数形態を説明する。この大当り遊技中獲得球数計数処理では、演出制御基板（演出制御ＣＰＵ）２４は、大当り開始演出時間（Ｔａ、Ｔａ’）が経過すると、まず大当り遊技中タイマを作動させ、大当り遊技中の期間の計時動作を開始させる（ステップＳ７２１）。この大当り遊技中タイマは、大当り遊技中の期間のみ計時動作を行うタイマである。
【０２３０】
次に、演出制御基板（演出制御ＣＰＵ）２４は、６秒を単位時間として、大当り遊技中の区間、つまり大当り遊技中タイマが作動（計時動作：ＯＮ）している区間を監視する。
【０２３１】
そして、大当り遊技中の上記単位時間（６秒）の経過時点が到来する度に、その直前の単位時間（６秒）内に発射されると推定される打出球数（打出損失球数）を、小計打出球数（小計打出損失球数）として直前の記憶保持値である獲得球数Ｖから減算する減算処理（大当り遊技中減算処理：ステップＳ７２２〜Ｓ７２３）と、大当り遊技中に各入賞口へ入賞したことによる賞球がある度に（入賞コマンドを受信する度に）、その賞球数を直前の記憶保持値である獲得球数Ｖに加算する加算処理（大当り遊技中加算処理：ステップＳ７２４〜Ｓ７２５）とを行う。具体的には上始動口３４および下始動口３５では入賞球１個毎に３個の賞球が払い出され、一般入賞口４３では入賞球１個毎に１５個の賞球が払い出されるので、それらの賞球数を獲得球数Ｖに加算する。なお、普通図柄始動口３７は、賞球が払い出される入賞口ではないので、賞球数「０」とするかもしくは除外して扱う。このステップＳ７２１〜Ｓ７２５の処理は、大当り中に遊技者が前記入賞により獲得した獲得球数を計数する大当り中獲得球数計数手段に対応する。
【０２３２】
詳述するに、通常、発射装置３２は、発射制御基板２８の制御の下で、単位時間（１分）当り１００発程度の遊技球を発射する能力を有する。いま取り扱っている「大当り遊技中」という状態は、大入賞口４０が開閉を繰り返している。発射装置３２から発射された遊技球は、各入賞口（大入賞口４０や、特別図柄始動口である上始動口３４および下始動口３５や、一般入賞口４３等）に入賞する有効球となるか、または、遊技領域を通過してアウト口４９へ抜けて入賞する無効球となるか、のいずれかである。
【０２３３】
ここで上記打出球数（打出損失球数）については、発射装置３２が遊技球を発射する能力から推測することができる。通常、１分当り１００発程度の遊技球を発射する能力を有することからすると、打出損失球数を減算項目として考慮する際には、発射装置３２の能力の通常の評価方法に従い、１分を経過する毎に１００発を減算するという獲得球数の修正を行えば良いことになる。
【０２３４】
すなわち、大当り遊技中の総払出数から、大当り遊技中の総打ち出し球数（大当り遊技中の継続時間（分）×１００）を減算することで、大当り遊技中における獲得球数を求めることができる。
【０２３５】
しかし、１分を経過する毎に１００発を減算するという修正では、修正間隔が長すぎて、修正量が獲得球数の値に即時には反映されない。このため、正確な打出損失球数を常にリアルタイムに把握しておくことが困難となる。打出損失球数を即時に獲得球数に反映させておくためには、打出損失球の発生率から考えて、少なくとも秒単位の短期間の繰り返し周期で、獲得球数の修正を繰り返す必要がある。
【０２３６】
そこで本実施形態では、「１分を経過する毎に１００発を打出損失球数として減算すること」に対応させ、その等価的な処理として、６秒間隔程度の短期間の繰り返し周期で、獲得球数の修正を繰り返し、「６秒間隔毎に１０個を打出損失球数として獲得球数から減算する」という修正処理を行う。この６秒程度の時間間隔ならば、リアルタイムに発射装置の能力にしたがった獲得球数の修正を行うことができることになる。
【０２３７】
ここでは、発明の理解を容易なものとするために、１５ラウンド確変確定図柄大当り（図１９のｔ４〜ｔ７）を例にとって説明する。本実施形態の弾球遊技機では、入賞球１個毎に、大入賞口４０では１３個、上始動口３４と下始動口３５ではそれぞれ３個の賞球が払い出され、一般入賞口４３では１５個の賞球が払い出される。また１回の大当り遊技中において、大入賞口４０が１回開放されると平均９個が入賞し、それが１５ラウンド繰り返される。この弾球遊技機において、大当り遊技中に、各大入賞口４０に１３５個（９個×１５ラウンド）、上始動口３４および下始動口３５に計１０個、一般入賞口４３に１個の入賞球が発生したとすると、獲得球数の概算は次のようになる。
【０２３８】
大入賞口４０への入賞分による払出数が１７５５個（入賞１３５×賞球数１３）、上始動口３４および下始動口３５への入賞分による払出数が３０個（入賞１０×賞球数３）、一般入賞口４３への入賞分による払出数が１５個（入賞１×賞球１５）であり、合計１８００個（内訳：１７５５個＋３０個＋１５個＝１８００個）が払い出される。また、この大当り遊技中の消化に３分を要したとすると、計３００個（３分×１００個）の打出球数（打出損失球数）がある。大当り遊技中の期間を終了した時点においては、次式から分かるように１５００個を獲得することになる。
１８００個（大当り遊技中の総払出数：１７５５個＋３０個＋１５個）−３００個（打出損失球数：大当り中の時間３分×１分当りの発射装置の発射能力１００個）＝１５００個
【０２３９】
本例の場合、獲得球数Ｖは１５００個として獲得球数カウンタに記憶保持される。
【０２４０】
以上では大当り開始演出時間が経過すると、大当り遊技中タイマを作動させて、大当り遊技中の期間を計数対象区間とする計数形態を例に挙げて説明した。
【０２４１】
ここで、上記１５ラウンド大当り中となるのは実際には「ｔ４」の時点である。したがって、本来ならば、大当り中の獲得球数を計数するには、このｔ４の時点から上記大当り遊技中タイマの計時動作を開始させることが好ましいが、本実施形態では以下の事項を考慮して、大当り遊技中となる「ｔ５」の時点から「ｔ６」の時点までを計時動作区間としている。
【０２４２】
本実施形態の弾球遊技機では、大当りが発生した時点から大当り開始演出がなされ、所定の一定時間Ｔａ（大当り開始演出時間）が経過すると、第１ラウンド目が開始し特別変動入賞装置４２の開放扉４２ｂが開放され、大入賞口４０が開放される（図１９のｔ５、図１３のＳ４０９〜Ｓ４１１参照）。
【０２４３】
多くの遊技者は、大当りが発生したことを認識すると、上記大当り開始演出が終了するまで（またはその直前まで）発射装置３２から手を離し、遊技球の打ち出しを止める。遊技上級者ほどこの傾向が強く、これは大入賞口４０が開放されるのを目前にして遊技球を打ち出しても、その多くは他の入賞口へは入賞せずに無駄玉（アウト球）となるからであり、大入賞口４０の開放を待って打ち出す方がアウト球を抑えることができるからである。
【０２４４】
したがって、大当り中となる「ｔ４」の時点から上記大当り遊技中タイマを開始させてしまうと、上記大当り開始演出時間Ｔａ分が計時されてしまい、特に大当り開始演出時間Ｔａが上記単位時間（６秒）を超えるような期間である場合には、打ち出しがないのに減算処理（ステップＳ７２２〜Ｓ７２３）が行われて不具合が生じる。
【０２４５】
一方、上記大当り遊技中の終了時点に着目すると、最終ラウンドが終了した「ｔ６」の時点から大当り終了演出がなされ、所定の一定時間Ｔｂ（大当り終了演出時間）が経過すると大当り区間は終了となる（図１９のｔ７、図１４のＳ４１９〜Ｓ４２２参照）。
【０２４６】
ここでも多くの遊技者は、大当り遊技中が終了したことを認識すると、上記大当り終了演出が終了するまでは、無駄玉を防止するべく発射装置３２から手を離し、遊技球の打ち出しを止める。したがって、上述した上記大当り開始演出時間Ｔａにおける獲得球数への影響に関する理由と同様に、「ｔ６」が到来した時点で大当り遊技中タイマの計時動作を終了させて、これに伴い獲得球数の計数を終了させることにしている。このような事由から大当り中に獲得球数が増加する支配的な遊技状態である「大当り遊技中」に着目した計数形態を例示した。
【０２４７】
勿論、「ｔ４」の時点から大当り遊技中タイマを作動させてこれに基づく上記減算処理（ステップＳ７２２〜Ｓ７２３）を行なっても良い。
【０２４８】
この場合、ステップＳ７２１の処理では、演出制御基板（演出制御ＣＰＵ）２４は、大当りが発生した時点（ｔ４）から大当り遊技中タイマを作動させ、大当り中の期間の計時動作を開始させる（ステップＳ７２１）。ここでの大当り遊技中タイマは、大当り中の計時動作を行うタイマとなる。
【０２４９】
そして、大当り中の単位時間（６秒）の経過時点が到来する度に、その直前の単位時間（６秒）内に発射されると推定される打出球数（打出損失球数）を、小計打出球数（小計打出損失球数）として直前の記憶保持値である獲得球数Ｖから減算する減算処理（ステップＳ７２２〜Ｓ７２３）と、入賞コマンドを受信する度に、その賞球数を直前の記憶保持値である獲得球数Ｖに加算する加算処理（ステップＳ７２４〜Ｓ７２５）とを行う。なお上記加算処理では、「大当り遊技中」に入賞コマンドを受信する度に、または「大当り中」に入賞コマンドを受信する度に、その賞球数を直前の記憶保持値である獲得球数Ｖに加算しても良い。
【０２５０】
大当り遊技中タイマの計時動作期間を「大当り中」とする場合、打ち出しの如何を問わず、「大当り開始演出中Ｔａ」や「大当り終了演出中Ｔｂ」の期間を含めた上記減算処理が行われることになる。このため、遊技者がこれら期間内に上述した無駄玉防止行為を行なった場合や、当該期間内での入賞が殆ど期待できない場合（たとえば「大当り開始演出中Ｔａ」や「大当り終了演出中Ｔｂ」が比較的短時間で終了し、この間での入賞が期待できない場合）等には、「大当り遊技中タイマ」の計時動作期間を「大当り遊技中」とする場合よりも少ない計数値となることが予想される。
【０２５１】
しかし大当り遊技中タイマの計時動作期間を「大当り中」の期間にする場合には、次のような利点がある。
【０２５２】
獲得球数を遊技者に報知する場合に着目する。たとえば後述する所定個数を超える毎に獲得球数を報知する場合、獲得球数カウンタの値が実際の獲得球数よりも少ない値となっていれば、その報知が時間的に遅れてなされることになる。つまり、遊技者が実際に獲得した球数が上記所定個数（ここでは４０００発とする）を超えるタイミングよりも、獲得球数カウンタの値が４０００発を超えた値となるタイミングの方が時間的に遅れることになる。したがって４０００発を超えた旨の報知がなされるタイミングよりも前で、遊技者が実際に獲得した球数が４０００発に達していることになる。
【０２５３】
遊技者は遊技を終えると、通常、パチンコ店に設置されている球計数機（いわゆる、ジェットカウンター）を介して実際に獲得した球数を計数する。本例において仮に遊技者が４０００発を超えた旨の報知を確認した時点やその直後で遊技を終えて上記球計数機で獲得球数を計数したとすれば、その結果は４０００発を超えた値かまたその近傍の値が示されることになる。もし球計数機で計数した結果が４０００発よりも大幅に少ない値が示されれば、遊技者に不信感を与えるばかりか、パチンコ店とのトラブルの原因ともなり兼ねない。したがって、獲得球数カウンタの値が４０００発を超えた値となるタイミングを時間的に遅れることによりこのような問題が発生することを防ぐことができる、という利点がある。
【０２５４】
したがって、大当り遊技中タイマの計時動作期間を「大当り中」とするか、「大当り遊技中」とするかは、本発明を適用する弾球遊技機の遊技態様に依り、いずれの計時態様を選択することができる。
【０２５５】
（形態２の大当り遊技中獲得球数計数処理：図２１Ｂ）
次に、図２１Ｂを参照し、上記（２−１−２）大当り中の獲得球数（形態２）における計数処理の内容を詳細に説明する。
【０２５６】
図２１Ｂに上記形態２の大当り遊技中獲得球数計数処理の詳細を示す。ここでは、まず図２１Ｂの（Ａ−１）の構成を説明する。この大当り遊技中獲得球数計数処理では、大入賞口入賞コマンドを受信したか否か、つまり大入賞口４０に遊技球が入賞したかどうかを確認している（ステップＳ７３１）。この「大入賞口入賞コマンド」は、大入賞口４０に遊技球が１個入賞する度に発生され、図１３の特別変動入賞装置管理処理のステップＳ４０７において、主制御基板２７から演出制御基板２４に送られて来るコマンドである。
【０２５７】
この大入賞口入賞コマンドを受信した場合（ステップＳ７３１：ＹＥＳ）、演出制御基板２４は、推定純増個数Ｕを算出する（ステップＳ７３２）。この推定純増個数Ｕは、既に説明したように、遊技球が１個入賞したときに払い出される賞球数ｍから、大入賞口４０に入賞した入賞球１個分と、その１個の入賞球を発生させるために発射させることが必要であった必要無駄球数Ｙとを減算することにより得られる数値である。
【０２５８】
次に、上記推定純増個数Ｕを、獲得球数カウンタが記憶保持している獲得球数に加算し、その加算結果を遊技者が獲得した現在の獲得球数Ｖとする（ステップＳ７３３）。すなわち、上記推定純増個数Ｕを加算単位として、大入賞口４０への入賞球が発生する度に、上記加算単位の球数を、獲得球数カウンタの直前の記憶保持値である獲得球数に加算し、その加算結果で上記獲得球数カウンタの記憶保持値の獲得球数を更新して遊技者が獲得した現在の獲得球数Ｖとする。なお所定期間（たとえば大当り遊技中の期間）「大入賞口入賞コマンド」の受信回数を計数して、その回数に加算単位の球数を乗算した結果（所定期間内の大入賞口入賞コマンド総受信回数×推定純増個数Ｕ）を上記獲得球数カウンタの記憶保持値の獲得球数を所定のタイミング（たとえば大当り遊技中終了後）で更新して現在の獲得球数Ｖとしても良い。このステップＳ７３１〜Ｓ７３３の処理は、大当り中に遊技者が前記入賞により獲得した獲得球数を計数する大当り中獲得球数計数手段に対応する。
【０２５９】
ここで、図２１Ｂの（Ａ−１）は、推定純増個数Ｕの算出式（上記式（１）参照）をあらかじめ導入し、定数として設定している賞球数ｍと必要無駄球数Ｙとを用いて推定純増個数Ｕを演算機能を用いて算出する構成を示した（ステップＳ７３２、Ｓ７３３）。上記の必要無駄球数Ｙは遊技機の個性や遊技くぎの調整により変動する値であるが、同一機種については規定値として、上記推定獲得球数Ｕを導出する計算式に導入することができる。
【０２６０】
しかしながら、図２１Ｂの（Ａ−１）のように推定純増個数Ｕの算出式を用いず、図２１Ｂの（Ａ−２）のように推定純増個数Ｕ自体を既知の規定数値として導入することもできる。この場合には、図１３のステップＳ４０３の処理で送信される大入賞口入賞コマンドに、加算単位である推定純増個数Ｕが「ｈ個（たとえばｈ＝１０個）」であるという情報を含ませ、この大入賞口入賞コマンドを受ける度に、上記規定値である「ｈ個」を獲得球数カウンタの値に加算していくだけで（ステップＳ７３４）、容易に獲得球数Ｖを算出することができる。このステップＳ７３１およびＳ７３４の処理は、大当り中に遊技者が前記入賞により獲得した獲得球数を計数する大当り中獲得球数計数手段に対応する。
【０２６１】
上記図２１Ｂの（Ａ−１）の構成を採用した場合には、遊技機の開発段階で大入賞口４０の賞球数に変更があった場合、上記推定純増個数Ｕの算出式（１）の賞球数ｍの値または必要無駄玉数Ｙの値を変更するだけで推定純増個数Ｕが規定される。また上記図２１Ｂの（Ａ−２）の構成を採用した場合には、大入賞口入賞コマンドに含ませる上記「ｈ個」の情報を変更するだけで推定純増個数Ｕが規定される。
【０２６２】
したがって、大当り遊技中（ｔ５〜ｔ６）に大入賞口４０にｎ個の遊技球が入賞したとすると、上記推定純増個数Ｕの入賞球数ｎ倍の値（Ｕ×ｎ）が、大当り遊技中に遊技者が獲得した獲得球数Ｖ（Ｖ＝Ｕ×ｎ）として、獲得球数カウンタに記憶保持される。たとえば、上記１入賞当りの推定純増個数Ｕが１０個で、大入賞口４０の１回の開放で平均１０個が入賞し、それが１５ラウンドあるとすると、獲得球数Ｖは、既に説明したように、１５００個として獲得球数カウンタに記憶保持される。
【０２６３】
図２０では、現在の大当りが「２ラウンド潜伏確変確定図柄大当り中」、「２ラウンド突然時短確定図柄大当り中」、および「２ラウンド突然確変確定図柄大当り中」のいずれかであり、かつ初当りでない場合か、または「１５ラウンド確変確定図柄大当り」および「１５ラウンド非確変確定図柄大当り」のいずれかである場合には、ステップＳ７０７の「大当り遊技中獲得球数計数処理」を実行するとして説明した。
【０２６４】
ここで、上記２ラウンドの大当りのように、大入賞口４０の開放時間が短く開放回数も少ない大当りの場合には、微量の球数を獲得できるか、または全く獲得できない可能性が高く、これを計数対象とする必要性に乏しい場合がある。そこでこのような事情に鑑み、遊技球数が多く獲得できる１５ラウンドに属する大当りのみを計数対象とし、これより獲得できる遊技球数が相対的に少ない２ラウンドに属する大当りは計数対象から除外しても良い。つまり、大当り遊技の態様に応じて、獲得球数を計数するか、しないかを定めても良い。ここで、混同してはならないのは、本発明では、初当りに関し、付随する特殊遊技の種類に基づいて獲得球数の計数開始タイミングを定めている点で、本発明において「特定の大当りを計数対象から除外」することと、付随する特殊遊技を考慮せずに、単に「特定の大当りを計数対象から除外する」こととは異なる。
【０２６５】
図２０では、特別大当りを区分し、「１５ラウンド確変確定図柄大当り」と「１５ラウンド非確変確定図柄大当り」とを第１群に属する大当りとし、「２ラウンド突然時短確定図柄大当り」と「２ラウンド突然確変確定図柄大当り」とを第２群に属する大当りとして区分し、初当りが計数対象として有意義かつ、付随する特殊遊技が特別遊技状態（時短状態または確変時短状態）となる上記第１群に属する大当りの発生を条件に獲得球数の計数を開始するとして説明した。本例において、「遊技球数が多く獲得できる１５ラウンドに属する大当りのみを計数対象とし、これより獲得できる遊技球数が相対的に少ない２ラウンドに属する大当りは計数対象から除外」とした場合、一見して、単に２ラウンドの大当りを計数対象から除外する技術と同一のように思える。しかし、同じ２ラウンドの大当りであっても、初当りが上記特別大当りであれば獲得球数の計数を開始すると規定する一方、初当りが上記特別大当り以外の大当りであれば獲得球数の計数を開始しない（本実施形態では、大当り後の開放延長中における獲得球数の計数自体も行なわれないことになる）、という点で異なり、計数開始タイミングそのものを排除する訳ではない。
【０２６６】
図２０に戻り、演出制御基板（演出制御ＣＰＵ）２４は、上記大当り遊技中獲得球数計数処理（ステップＳ７０６）を終了すると、後述する獲得表示条件判定処理（ステップＳ７０８）を実行し、これにより獲得球数計数処理を終了する。
【０２６７】
図１９の具体例に従い、遊技状態は、１５ラウンド大当り遊技中（ｔ５〜ｔ６）から大当り終了演出Ｔｂのインターバル期間を経て、続いて確変・時短状態中（ｔ７〜ｔ８）に移行する。これにより図２０のステップＳ７０２における判断がＹＥＳとなるので、ステップＳ７０８に進み、「開放延長中獲得球数計数処理」が実行される。
【０２６８】
（開放延長中獲得球数計数処理：図２２）
図２２に開放延長中獲得球数計数処理（ステップＳ７０８）の詳細を示す。この開放延長中獲得球数計数処理では、まず、開放延長中（普通図柄確変時短状態中）に生起される普通図柄作動中の区間に入ったか否かを判断する（ステップＳ７５１）。ここで普通図柄作動中の区間とは、普通図柄の変動中の区間だけではなく、補助当りとなった場合に普通変動入賞装置４１の可動翼片４７の作動が終了するまで区間も含まれる。普通図柄作動中の区間であるかどうかは、図８の普通図柄管理処理のステップＳ２１６の普通図柄変動コマンド、図７の同処理のステップＳ２１０の普通図柄停止コマンドにより知ることができる。また普通変動入賞装置４１の可動翼片４７の作動が終了するまで区間は、図１０の普通変動入賞装置管理処理のステップＳ２６２の普通変動入賞装置作動中コマンド、ステップＳ２６５の普通変動入賞装置作動終了コマンドにより知ることができる。
【０２６９】
そして、開放延長中に普通図柄作動中の区間に入ったと判断された場合（ステップＳ７５１：ＹＥＳ）、演出制御基板２４は、「普通図柄作動中タイマ」を作動させる（ステップＳ７５２）。そして普通図柄作動中の区間を抜けたとき（ステップＳ７５１：ＮＯ）、「普通図柄作動中タイマ」を停止する（ステップＳ７５７）。普通図柄作動中タイマは開放延長中の普通図柄作動中の区間だけ作動（ＯＮ）しているタイマであり、たとえば普通図柄が変動している時間が１秒であり補助当りでないとすると、その１秒の間は連続して作動（計時動作ＯＮ）し続け、その１秒が終了して普通図柄が変動していない区間に入ると停止（計時動作ＯＦＦ）する、という動作を繰り返すことにより、開放延長中における普通図柄作動中の区間を表示しているタイマである。なお、ここでは、普通図柄作動中の区間に着目したタイマを作動させているが、これに限らず、普通図柄が変動中の区間のみに着目したタイマを作動させても良いし、普通変動入賞装置の可動部材が駆動している区間のみに着目したタイマを作動させても良い。
【０２７０】
一方、開放延長中に複数回生起される普通図柄作動中の区間、つまり普通図柄作動中タイマが作動（ＯＮ）している区間を、所定の単位時間（例えば６秒）毎に監視する。普通図柄作動中の区間が、１回、２回、３回・・・と繰り返された場合、それらの区間のタイマ作動時間の各期間を加算的に計時してゆき、合計時間が６秒に達した時点（６回目の普通図柄作動中の区間の途中であっても）で、監視の単位時間（６秒）が到来したと判断する。
【０２７１】
そして、上記単位時間（６秒）の経過時点が到来する度に、その直前の単位時間（６秒）内に発射されると推定される打出球数（打出損失球数）を、小計打出球数（小計打出損失球数）として上記獲得球数から減算する減算処理（開放延長中減算処理：ステップＳ７５２〜Ｓ７５４）と、開放延長中に各入賞口へ入賞した入賞球数に基づいて払い出される賞球数を、獲得球数Ｖに加算する加算処理（開放延長中加算処理：ステップＳ７５５〜Ｓ７５６）とを行う。このステップＳ７５２〜Ｓ７５６の処理は、特別遊技状態中に遊技者が入賞により獲得した獲得球数を計数する特別遊技中獲得球数計数手段に対応する。
【０２７２】
詳述するに、通常、発射装置３２は、発射制御基板２８の制御の下で、単位時間（１分）当り１００発程度の遊技球を発射する能力を有する。いま取り扱っている「開放延長中」という状態は、「確変・時短状態中」（ｔ７〜ｔ８）かまたは「時短状態中」（ｔ１２〜ｔ１３）で生じる。そして、この状態中、大入賞口４０は閉鎖されている。
【０２７３】
したがって発射装置３２から発射された遊技球は、大入賞口４０以外の入賞口に入賞する有効球となるか、または、遊技領域を通過してアウト口４９へ抜けて入賞する無効球となるか、のいずれかである。アウト口４９へ抜けた無効球はすべて遊技者から見て損失球となる。
【０２７４】
いま、普通図柄作動中に発射装置３２から発射された遊技球のすべてが、遊技領域３ａを通過してアウト口４９へ抜けて入賞しない無効球となったとすると、普通図柄作動中に１個も入賞口に入賞しなかった場合は打出損失球数が最大の状態である。この打出損失球数は普通図柄作動中に、各入賞口（上始動口３４、下始動口３５、一般入賞口４３等）への入賞があることにより減少する。普通図柄作動中に全ての打球が入賞口に入賞した場合には、打出損失球数が最小の状態となる。そして上記各入賞口に入賞すると入賞球１個につき所定の賞球数が払い出される。
【０２７５】
普通図柄が作動中であるということは、多くの場合、発射装置３２から遊技球が発射されている状況である。また普通図柄が作動中であるということは、普通図柄の変動中が含まれ、この変動中は普通変動入賞装置４１が未作動状態であり下始動口３５が開放することはないが、普通図柄停止後に補助当りとなれば普通変動入賞装置４１が作動して下始動口３５が開放される。このような状況にもかかわらず、１個も入賞口に入賞しないのであれば、打出損失球が払出賞球数を上回るため遊技者の獲得球数は減少を続け、また逆に打出損失球が払出賞球数を下回るのであれば、遊技者の獲得球数は増加を続ける。
【０２７６】
そこで、開放延長中に遊技者が獲得する獲得球数を算出する方法として、開放延長中のうち普通図柄の作動中の期間について着目する。普通図柄が変動していなければ発射装置３２から遊技球が発射されていない可能性が大であり、普通図柄が変動していれば発射装置３２から遊技球が発射されている可能性が大である。また、普通変動入賞装置４１が作動している状態であれば下始動口３５が開放され、この間、遊技者は下始動口３５への入賞を試みるので、この場合も発射装置３２から遊技球が発射されている可能性が大である。そして、獲得球数カウンタの内容に対する修正値として、この普通図柄作動期間中における上記打出損失球数を獲得球数から減算し、また各入賞口に入賞した有効球により払い出された賞球数を獲得球数に加算する。すなわち、上記有効球により払い出された賞球数すべてを加算していき、その修正値として上記打出損失球数を獲得球数Ｖから減算する。これを開放延長中の推定純増個数に着目して式に表わすとは次式のようになる。
開放延長中の総賞球数−普通図柄の作動期間中における打出損失球数Ｘ＝開放延長中の推定純増個数・・・（２）
【０２７７】
ここで上記打出損失球数Ｘの最大値については、発射装置３２が遊技球を発射する能力から推測することができる。すなわち打出損失球数を減算項目として考慮する際には、発射装置３２の能力の通常の評価方法に従い、１分を経過する毎に１００発を減算するという獲得球数の修正方法も考えられる。
【０２７８】
しかし、１分を経過する毎に１００発を減算するという修正では、修正間隔が長すぎて、修正量が獲得球数の値に即時には反映されない。このため、正確な打出損失球数を常にリアルタイムに把握しておくことが困難となる。打出損失球数を即時に獲得球数に反映させておくためには、打出損失球の発生率から考えて、少なくとも秒単位の短期間の繰り返し周期で、獲得球数の修正を繰り返す必要がある。
【０２７９】
そこで本実施形態では、「１分を経過する毎に１００発を打出損失球数として減算すること」に対応させ、その等価的な処理として、６秒間隔程度の短期間の繰り返し周期で、獲得球数の修正を繰り返し、「６秒間隔毎に１０個を打出損失球数として獲得球数から減算する」という修正処理を行う。つまり、上記式（２）中「普通図柄の作動期間中における打出損失球数」は、その修正値として「普通図柄の作動期間中（秒）×発射装置の発射性能（発射個数／秒）」（ここでは、１分間に１００個の発射性能があるとしているので、６秒毎の発射数は１０個となる）と表わすことができる。この６秒程度の時間間隔ならば、リアルタイムに発射装置の能力にしたがった獲得球数の修正を行うことができることになる。
【０２８０】
再び図２２を参照して、開放延長中獲得球数計数処理について説明する。図２２において、演出制御基板（演出制御ＣＰＵ）２４は、まず普通図柄作動中であるか否かを判断する（ステップＳ７５１）。普通図柄作動中である場合（ステップＳ７５１：ＹＥＳ）、「普通図柄作動中タイマ」を作動させ（ステップＳ７５２）、また普通図柄作動中でない場合（ステップＳ７５１：ＮＯ）、「普通図柄作動中タイマ」を停止する（ステップＳ７５７）。
【０２８１】
次に、上記普通図柄作動中に普通図柄作動中タイマが作動している時間を加算的に監視し、その加算されたタイマ値が、上記監視の単位時間である修正間隔の６秒を経過するのを待つ（ステップＳ７５３）。そして上記普通図柄作動中タイマのタイマ時間が修正間隔の６秒を経過したならば（ステップＳ７５３：ＹＥＳ）、その都度、打出損失球数として１０個を獲得球数Ｖから減算する処理（打出損失球数減算処理：開放延長中減算処理）（ステップＳ７５４）を行う。なお、６秒が経過する前（ステップＳ７５３：ＮＯ）の間は、このステップＳ７５４を経ずにステップＳ７５５へ進む。
【０２８２】
次に、上記普通図柄作動中において、遊技領域３ａ中に設けられている各入賞口（大入賞口４０は閉じられているので、上始動口３４、下始動口３５、普通図柄始動口３７、一般入賞口４３が対象となる）への入賞球があったか否か、つまりそれらの入賞コマンドが有ったか否かを判断する（ステップＳ７５５）。各入賞口への入賞に対応する入賞コマンドの受信があった場合（ステップＳ７５５：ＹＥＳ）、その入賞コマンドに含まれる賞球数情報に対応する値を、獲得球数Ｖに加算する処理（延長中加算処理）を行う（ステップＳ７５６）。
【０２８３】
上記の開放延長中減算処理（ステップＳ７５１〜Ｓ７５４）と開放延長中加算処理（Ｓ７５５〜Ｓ７５６）により、開放延長中に発射装置３２が打ち出した球数の損失分（打出損失球数）と、入賞により払い出された球数（開放延長中の総払出数）の利得分が、獲得球数Ｖに加味されることになる。これにより獲得球数の値が減少または増加する。なお、上記開放延長中の区間であるにもかかわらず、普通図柄が作動中でない状態は、たとえば遊技者が化粧室へ行き席を離れていたため、普通図柄の変動が行なわれていない、いわゆる「デモ中」の状態と考えられる。実際の「デモ中」は、デモ表示コマンドを受けた時点からであるが、普通図柄が変動していなければ打ち出しがないものとしてここでは、「デモ中」として扱う意味である。この場合も、上記ステップＳ７５１の処理において普通図柄作動中でないと判断され（ステップＳ７５１：ＮＯ）、普通図柄作動中タイマが停止される（ステップＳ７５７）。したがって、この「デモ中」の場合も、上述した普通図柄作動中でない場合の一態様として処理され、上記延長中減算処理（ステップＳ７５１〜Ｓ７５４）と延長中加算処理（Ｓ７５５〜Ｓ７５６）は行われないので、獲得球数への影響はない。
【０２８４】
なお、上記開放延長中獲得球数計数処理（図２０のステップＳ７０８）を省略して、獲得球数計数処理（図２０）を構成しても良い。この場合、上記大当り遊技中獲得球数計数処理（図２０のステップＳ７０７）のみとなるので、大当り中のみの獲得球数を計数することになるが、このような構成は、開放延長中が生起する確変時短状態中や時短状態中（図１９のｔ７〜ｔ８、ｔ１２〜ｔ１３）の獲得球数を考慮する必要がない場合（たとえば獲得球数の増減幅が少ない場合）に有用である。
【０２８５】
続いて、図１９の具体例に従い、遊技状態は、上記確変・時短状態中（ｔ７〜ｔ８）から大当り開始演出中Ｔａのインターバル期間を経て、１５ラウンド非確変確定図柄での大当り遊技中（ｔ９〜ｔ１０）に移行する。この連荘中２回目の１５ラウンド大当り遊技中の獲得球数計数処理の動作も、上述した１回目（連荘初回大当り）の１５ラウンド大当り遊技中（ｔ５〜ｔ６）の場合と同じ動作である。この連荘中２回目の大当り遊技中に続く時短状態中（ｔ１２〜ｔ１３）では、図２０のステップＳ７０３の判断がＹＥＳとなり、ステップＳ７０８の上記開放延長中獲得球数計数処理（図２２）が実行される。
【０２８６】
図２０に戻り、演出制御基板２４は、上記大当り遊技中獲得球数計数処理または開放延長中獲得球数計数処理を終了すると、ステップＳ７０９の獲得球数表示条件判定処理に移行する。この獲得球数表示条件判定処理では、獲得球数の表示条件（獲得球数表示条件）が成立したか否かを判断している。獲得球数表示条件については特に制限はないが、遊技中を含めた適切な時期に遊技者に報知することが好ましい。したがってここでは、前提となる獲得球数表示条件の例として、２ラウンドの大当り中以外の期間で所定の表示条件が成立した場合に液晶表示装置３６に表示する態様を挙げ、その所定の表示条件の例として（イ）１５ラウンド大当り遊技終了を条件に表示、（ロ）所定個数を超えた場合に（所定個数を超える毎に）、その所定個数を２ラウンド大当り中以外の期間中で表示、（ハ）所定個数を超えた場合に（所定個数を超える毎に）、その所定個数を１５ラウンド大当り遊技が終了したことを条件に表示、（ニ）２ラウンド大当り中以外の期間中にボタン操作で表示、（ホ）１５ラウンド大当り遊技が終了したことを条件にボタン操作で表示、（ヘ）時短状態終了後にボタン操作で表示する、のいずれの獲得表示態様が指示されているのか、および、その指示された獲得表示態様において、あらかじめ設定されている個々の表示条件が成立したかを判断する。
【０２８７】
詳細は後述するが、（イ）「１５ラウンド大当り遊技終了を条件に表示」の場合、１５ラウンド大当り遊技が終了したタイミングまたは１５ラウンド大当り中が終了したタイミングの到来を条件とする。（ロ）「所定個数を超えた場合に（所定個数を超える毎に）、その所定個数を２ラウンドの大当り中以外の期間中で表示」の場合、たとえば２０００個を超え、かつ２ラウンドの大当り中以外の期間の到来を条件とする。（ハ）「所定個数を超えた場合に（所定個数を超える毎に）、その所定個数を１５ラウンド大当り遊技終了したことを条件に表示」の場合、たとえば２０００個を超え、かつ１５ラウンド大当り遊技が終了したタイミングまたは１５ラウンド大当り中が終了したタイミングの到来を条件とする（ニ）「２ラウンド大当り中以外の期間にボタン操作で表示」の場合、２ラウンド大当り中以外の期間において遊技者が獲得球数表示用の操作ボタンを操作したタイミングの到来を条件とする。（ホ）「１５ラウンド大当り遊技終了を条件にボタン操作で表示する」の場合、上記１５ラウンド大当り遊技が終了した後において遊技者が獲得球数表示用の操作ボタンを操作したタイミングの到来を条件とする。（ヘ）「時短状態終了後にボタン操作で表示する」の場合、時短状態が終了した後において遊技者が獲得球数表示用の操作ボタンを操作したタイミングの到来を条件とする。
【０２８８】
演出制御基板２４は、上記獲得表示条件が成立した場合、獲得球数表示用液晶データを設定し（図２５〜図３０のステップＳ７６５、図３２のステップＳ８１８およびＳ８１９）、獲得球数計数処理を終了する。この獲得球数表示用液晶データは、図１７のステップＳ５３６において、液晶制御コマンドありと判断され、ステップＳ５３７にて液晶制御コマンドの一部として液晶制御基板２５に送信される。なお、ここでは液晶表示装置３６により獲得球数を報知する場合を示しているがこれに限らず、ＬＥＤや装飾ランプ４５やスピーカ５８等の他の演出手段を用いて獲得球数を報知する構成としても良い。
【０２８９】
また図１９の具体例に従い、図２０において、大当り中（「２ラウンド潜伏確変確定図柄大当中」、「２ラウンド突然時短確定図柄大当中」、「２ラウンド突然確変確定図柄大当中」、「１５ラウンド確変確定図柄大当り中」、「１５ラウンド非確変確定図柄大当り中」）、「確変時短状態中」、「時短状態中」のいずれの状態でも無い場合（ステップＳ７０１〜Ｓ７０３：ＮＯ）、すなわち図１９の時短状態中（ｔ１２〜ｔ１３）から通常遊技中に戻った場合は、獲得球数カウンタの保持内容をクリアして（ステップＳ７０４）、これにより獲得球数計数処理を終了する。また計数処理に用いた各種タイマも本処理にてクリアされる。このステップＳ７０４の処理は、上記大当り中を除く前記特別遊技状態以外の遊技状態に移行したことを条件として、獲得球数をクリア（初期化）する獲得球数クリア手段に対応する。
【０２９０】
（獲得球数表示処理：図２３）
図２３に、上記獲得球数表示用液晶データが液晶制御基板２５に送信された場合に、液晶制御基板２５において行われる獲得球数表示処理を示す。
【０２９１】
液晶制御基板２５は、上記獲得球数表示用液晶データを受信したか否かを常時監視している（ステップＳ９０１）。獲得球数表示用液晶データを受信した場合（ステップＳ９０１：ＹＥＳ）、液晶制御基板２５は、液晶表示装置３６の画面の所定の領域に、獲得した獲得球数を表示する獲得表示処理を行い、遊技者に獲得球数Ｖを報知する。これにより遊技者は大当り中（大当り遊技中）および連荘チャンス状態に獲得した総獲得球数を知ることができる。
【０２９２】
［獲得球数の表示］
次に、上記の獲得球数を、遊技中を含めた適切な時期に遊技者に報知する方法について説明する。
【０２９３】
獲得球数表示時期については特に制限はないが、本発明では、計数した獲得球数（獲得球数情報）を一律に報知するのではなく、現在の大当りが、どの大当りに属するかを考慮した獲得球数の報知タイミングを定めている。本実施形態では以下の理由から、連荘中（初当たりを含む）の獲得球数表示に関し、２ラウンドの大当り中以外の期間で獲得球数を報知するようにしている。
【０２９４】
遊技者の関心事の一つには、連荘中にどの程度の遊技球が獲得できたかにあり、連荘中の獲得球数を知得することは遊技意欲の向上にも繋がる。しかし上記のような２ラウンドの大当りの多くは、遊技者に利益を与えるという目的よりも演出の一態様としての目的が強い。このため上記２ラウンド大当りは、その性質上、大入賞口４０の開放時間が短く開放回数も少なく設定されており、遊技者が遊技球を打ち出したとしても、大入賞口４０や他の入賞口に入賞することは少なく、その結果、微量の球数を獲得できるか、または全く獲得できない可能性が高い。
【０２９５】
たとえば１５ラウンド確変確定図柄大当りを引いた後、２ラウンド突然確変確定図柄大当りを引き、続いて１５ラウンド非確変確定図柄大当りを引いた場合、この連荘中での獲得球数は、おおまかではあるが、１５ラウンド大当り２回分の獲得球数と大きな差はないものと推測される。特に、連続する大当りの区間中で、開放延長中が生起する確変時短状態中や時短状態中（図１９のｔ７〜ｔ８、ｔ１２〜ｔ１３）の獲得球数の増減幅が比較的少ない場合には、その差は殆どないものと推測される。
【０２９６】
したがって上記２ラウンドの大当り中に獲得球数を報知しても意味をなさない場合があり、すべての大当り中で獲得球数を報知するとすれば、遊技者にとって煩わしく、遊技意欲を減退させる原因となる。そこで本実施形態では、獲得できる球数が他の大当りと比較して相対的に少ない大当り中では獲得球数を報知することはせず、それ以外の期間で獲得球数情報を報知するようにしている。
【０２９７】
以下、遊技中を含めた適切な時期に遊技者に報知する方法について説明する。先ず、２ラウンドの大当り中以外の期間で所定の表示条件が成立した場合に表示する態様について説明しておく。
【０２９８】
図２５は、上記の獲得球数を２ラウンドの大当り中以外の期間で、ある所定の表示条件が成立した場合に報知する形態を示すフローチャートである。本例では、２ラウンドの大当り中以外の期間、すなわち図１９のｔ４〜ｔ１３の区間の任意の時期にて、獲得球数カウンタに記憶保持されている獲得球数を表示することになる。このように２ラウンドの大当り中以外の期間で獲得球数を報知する形態の場合、演出制御基板（演出制御ＣＰＵ）２４は、まず２ラウンドの大当り中か否かを判断することになる（ステップＳ７６１〜Ｓ７６３）。すなわち、２ラウンド潜伏確変大当り（２ラウンド潜伏確変確定図柄大当り）中か、２ラウンド突然時短大当り（２ラウンド突然時短確定図柄大当り）中か、２ラウンド突然確変大当り（２ラウンド突然確変確定図柄大当り）中か否かを判断する。２ラウンドの大当り中の場合には（ステップＳ７６１〜Ｓ７６３でいずれかでＹＥＳ）、何もせずに獲得表示条件判定処理を終了する。
【０２９９】
一方、２ラウンドの大当り中でない場合には（ステップＳ７６１〜Ｓ７６３でいずれもＮＯ）、表示条件が成立したか否かを判断し（ステップＳ７６４）、上記表示条件が成立していれば（ステップＳ７６４：ＹＥＳ）、獲得球数表示用液晶データを設定して（ステップＳ７６５）、これにより獲得球数表示条件判定処理を終了する。この獲得球数表示用液晶データは、図１７のステップＳ５３６において、液晶制御コマンドありと判断され、ステップＳ５３７にて液晶制御コマンドの一部として液晶制御基板２５に送信され、獲得球数Ｖが画像表示される。
【０３００】
たとえば図１９のｔ６〜ｔ７では、獲得球数カウンタに記憶保持されている積算値（獲得球数Ｖ）、たとえば約１５００個表示する。なお、獲得球数を表示する場合、上記獲得球数カウンタに記憶保持されている積算値をそのまま表示しても良いが、上記積算値は推定値であるので概算値としてまるめて表示することが好ましい。具体的には、獲得球数カウンタに記憶保持されている積算値が１５３０個の場合、このまま「１５３０個」を獲得球数として表示するのではなく、上記獲得球数カウンタの積算値の下位の値を切り捨てて「１５００個」として表示する。また、獲得球数カウンタの積算値の下位の値を切り捨てて表示することに限らず、これとは無関係に５００個単位、または１０００個単位等で表示しても良い。以下に説明する獲得球数の表示態様についても同様に、上記表示態様であることが好ましい。
【０３０１】
ステップＳ７６４の処理で判断する表示条件については特に制限はないが、遊技中を含めた適切な時期に遊技者に報知することが好ましい。以下に、その報知タイミングについての具体例を示す。なお、実質的に同じ処理内容については同じステップ番号を付し、また重複記載を避けるため、その詳細は適宜省略して説明する。
【０３０２】
（イ）１５ラウンド大当り遊技終了を条件に表示（図２６）
図１９の（イ）の白丸印（○印）は、上記の獲得球数を１５ラウンド大当り遊技中終了毎（最終ラウンド終了後）に報知する形態の報知タイミングを示したものである。図１９の（イ）では、１５ラウンド大当り遊技中（ｔ５〜ｔ６、ｔ９〜ｔ１０）が終了したことを条件として、それぞれ獲得球数カウンタに記憶保持されている獲得球数を表示することになる。具体的には、大当り終了演出区間Ｔｂにおける演出中（ｔ６〜ｔ７、ｔ１０〜ｔ１２）の区間にて、上記獲得球数を表示することになる。
【０３０３】
図２６に、この形態における獲得球数表示条件判定処理（図２０）の構成例を示す。演出制御基板２４は、まず１５ラウンド大当り遊技中が終了したか否かを判断することになる（ステップＳ７７１）。１５ラウンド大当り遊技中が終了したか否かは、最終ラウンドの大入賞口４０の閉鎖後に開放インターバル表示コマンドの受信よりインターバル演出時間の経過後に送信される大当り終了表示コマンドにより知ることができる。本例の場合、最終ラウンド終了後、特殊遊技（時短状態等）突入前に表示するようにしているので、大当り終了演出の一環として、獲得球数を表示することができる。
【０３０４】
演出制御基板２４は、１５ラウンド大当り遊技中が終了したと判断した場合（ステップＳ７７１：ＹＥＳ）、大当り遊技終了時点の獲得球数カウンタの値を読み出し、これに基づく獲得球数表示用液晶データを設定し（ステップＳ７６５）、これにより獲得球数表示条件判定処理を終了する。この獲得球数表示用液晶データは、図１７のステップＳ５３６において、液晶制御コマンドありと判断され、ステップＳ５３７にて液晶制御コマンドの一部として液晶制御基板２５に送信され、獲得球数Ｖが画像表示される。
【０３０５】
本例では、図１９の時刻ｔ６〜ｔ７では、１５ラウンド大当り中（ｔ４〜ｔ６）の獲得球数である、たとえば約１５００個を表示する。また図１９の時刻ｔ１０〜ｔ１２では、１５ラウンド確変確定図柄大当り中の獲得球数（ｔ４〜ｔ７）と、確変時短状態中（ｔ７〜ｔ８）の獲得球数と、連荘中２回目の大当りである１５ラウンド非確変確定図柄大当り中（ｔ８〜ｔ１０）の獲得球数の和である、たとえば約３０００個を表示する。
【０３０６】
なお、この獲得球数カウンタとは別に、上記積算値を各大当りごとに記憶保持しておく「大当り別獲得球数カウンタ」を設け、その獲得球数を同時にまたは別個に表示させることもできる。このようにすれば、連荘中、大当りごとの獲得球数をそれぞれ表示することができるので、たとえば、今回と前回の大当り中の獲得球数を別々に表示することができる。この結果、遊技者は、今回の大当り中の獲得球数が前回よりも少なければ、次回の大当り中の獲得球数を増やそうと努力するので、遊技意欲をさらに向上させることができる。
【０３０７】
また、１５ラウンド大当り中が終了したことを条件に、つまり大当り終了演出時間Ｔｂ経過後に送信される遊技状態表示コマンドを受信したことを条件に、上記獲得球数を画像表示しても良い。この場合、ステップＳ７７１の処理を１５ラウンド大当り中が終了したか否かを判断する処理に置き換え、１５ラウンド大当り中が終了したと判断した場合にステップＳ７６５の処理に移行する。図示はしていないが、報知タイミング（図１９の（イ）の白丸印（○印））は、１５ラウンド大当りが終了した時刻ｔ７、ｔ１２に、それぞれ獲得球数カウンタに記憶保持されている獲得球数を表示することになる。
【０３０８】
（ロ）所定個数を超えた場合に（所定個数を超える毎に）、その所定個数を２ラウンドの大当り中以外の期間中で表示（図２７）
図１９の（ロ）の白丸印（○印）は、上記の獲得球数が、あらかじめ所定の報知単位（ここでは２５００個単位とする）でランク分けをした獲得球数（２５００個、５０００個、７５００個・・・）を超えた場合に報知する形態の報知タイミング例を示したものである。ここでは、２５００個を超えるタイミングが２回目の１５ラウンド大当り遊技中（ｔ９〜ｔ１０）に起こった場合を示している。
【０３０９】
図２７に、この形態における獲得球数表示条件判定処理（図２０）の構成例を示す。演出制御基板（演出制御ＣＰＵ）２４は、まず２ラウンドの大当り中か否かを判断（ステップＳ７６１〜Ｓ７６３）し、２ラウンドの大当り中でない場合には（ステップＳ７６１〜Ｓ７６３でいずれもＮＯ）、獲得球数カウンタの値が上記２５００個を１報知単位としてランク分けした個数、たとえば最低ランクの２５００個を超えたか否かを判断し（ステップＳ７８１）、その個数を超えた場合には（ステップＳ７８１：ＹＥＳ）、次回表示個数条件設定として１ランク上の報知単位（たとえば５０００個）に更新する（ステップＳ７８２）。
【０３１０】
そして演出制御基板２４は、ステップＳ７８２の処理の後、獲得球数表示用液晶データを設定し（ステップＳ７６５）、これにより獲得球数表示条件判定処理を終了する。この獲得球数表示用液晶データは、図１７のステップＳ５３６において、液晶制御コマンドありと判断され、ステップＳ５３７にて液晶制御コマンドの一部として液晶制御基板２５に送信され、獲得球数が画像表示される。
【０３１１】
図１９では、一例として、１５ラウンド非確変図柄での大当り中（ｔ９〜ｔ１０）の区間内の２／３程度（１０ラウンドが終了した付近）で、獲得球数カウンタの数値が、最初のランク分け個数である２５００個に達した場合を示している。そこで、この１０ラウンドの終了時、獲得球数の報知情報として「おめでとう２０００個獲得！」や「獲得数４０００個突破！」等の獲得球数画像を画面に表示する。
【０３１２】
図２４に上記報知情報として、「おめでとう４０００個獲得！」とキャラクタの「藤丸くん」を液晶表示装置の画面に表示させた例を示す。
【０３１３】
しかし表示条件である１報知単位の個数を幾つにするかについては制限がなく、１０００個単位や５０００個単位、また所定個数単位毎ではなく、ランダムに１０００個、３０００個、１００００個等、任意に定めることができる。
【０３１４】
図１９の（ロ）の白三角印（△印）は、１０００個単位で獲得球数報知する形態の報知タイミング例を示したものである。獲得球数の積算値が１０００個に達するたびに、「１０００個突破！」「２０００個突破！」・・・等の獲得球数画像を液晶表示装置の画面に表示する。また、ある上限数を超えた場合、たとえば通常では達成することが困難な獲得球数に達した場合、上記のように獲得球数をダイレクトに表示するのではなく、獲得球数に替えて、または獲得球数と共に「大爆発中！！」「猛爆中！！」のようなプレミア的画像を表示しても良い。
【０３１５】
（ハ）所定個数を超えた場合（所定個数を超える毎）、その所定個数を１５ラウンド大当り遊技が終了したことを条件に表示（図２８）
図１９の（ハ）の白丸印（○印）は、１５ラウンド大当り遊技が終了する毎に獲得球数カウンタに保持されている獲得球数があらかじめ定めた所定個数（ここでは２０００個単位とする）を超えた場合に報知する形態の報知タイミング例を示したものである。ここでは、１５ラウンド大当り遊技中が終了するまでにあらかじめ所定の報知単位でランク分けをした獲得球数を超えた場合に、ｔ６〜ｔ７、ｔ１０〜ｔ１２の区間にて、獲得球数カウンタに記憶保持されている獲得球数を表示することになる。具体的には、大当り終了演出区間Ｔｂにおける演出中にて上記獲得球数を表示することになる。画像表示態様については、上述した（ロ）と同様である。
【０３１６】
図２８に、この形態における獲得球数表示条件判定処理（図２０）の構成例を示す。すなわち、演出制御基板２４は、１５ラウンド大当り遊技中の終了を監視しており（ステップＳ７７１）、１５ラウンド大当り遊技中が終了したならば（ステップＳ７７１：ＹＥＳ）、ステップＳ７８１の処理に進む。そして、獲得球数が上記２０００個を１報知単位としてランク分けした個数、たとえば２０００個を超えたか否かを判断し（ステップＳ７８１）、その個数を超えた場合には（ステップＳ７８１：ＹＥＳ）、次回表示個数条件設定として１ランク上の報知単位（たとえば４０００個）に更新する（ステップＳ７８２）。
【０３１７】
そして演出制御基板２４は、ステップＳ７８２の処理の後、獲得球数表示用液晶データを設定し（ステップＳ７６５）、これにより獲得球数表示条件判定処理を終了する。この獲得球数表示用液晶データは、図１７のステップＳ５３６において、液晶制御コマンドありと判断され、ステップＳ５３７にて液晶制御コマンドの一部として液晶制御基板２５に送信され、獲得球数Ｖが画像表示される。
【０３１８】
ここで、図１９の（ハ）が上記（ロ）と異なる点は、白丸印（○印）の位置が、上記（ロ）の場合のように大当り遊技中のｔ９〜ｔ１０内にあるのではなく、大当り終了演出区間Ｔｂのｔ１０〜ｔ１２上に在る点である。このことから分かるように、この例では、上記の獲得球数の積算値があらかじめ報知単位として定めた所定個数（２０００個単位）を超えても、その時点で直ちには表示されず、大当り遊技中が終了した時点の到来を待って表示するものである。図１９では、１５ラウンド非確変確定図柄の大当り遊技中（ｔ９〜ｔ１０）の概ね５〜６ラウンドが終了した付近で、獲得球数カウンタの積算値が１報知単位である２０００個に達する。そこで、大当り遊技中が終了した時点（ｔ１０）の到来を待って、獲得球数の報知情報として「おめでとう２０００個獲得！」や「獲得数４０００個突破！」等の獲得球数画像を液晶表示装置の画面に表示する。
【０３１９】
なお、１５ラウンド大当り中が終了したことを条件に、つまり大当り終了演出時間Ｔｂ経過後に送信される遊技状態表示コマンドを受信したことを条件に、上記獲得球数を画像表示しても良い。この場合、ステップＳ７７１の処理を１５ラウンド大当り中が終了したか否かを判断する処理に置き換え、大当り中が終了したと判断した場合にステップＳ７８１の処理に移行する。図示はしていないが、報知タイミング（図１９の（ロ）の白丸印（○印））は、大当りが終了した時刻ｔ７、ｔ１２に、それぞれ獲得球数カウンタに記憶保持されている獲得球数を表示することになる。
【０３２０】
（ニ）２ラウンド大当り中以外の期間中にボタン操作で表示（図２９）
図１９の（ニ）は、獲得球数表示用の操作ボタンが操作されたとき、獲得球数カウンタに保持されている最新の保持内容を、遊技者が獲得した獲得球数Ｖとして報知する例である。この獲得球数表示用の操作ボタンとして、上記枠演出ボタン１３を所定の条件下で押すことにより機能するように兼用させても良いし、獲得球数表示用の専用の操作ボタンを設けても良い。
【０３２１】
図２９に、この形態における獲得球数表示条件判定処理（図２０）の構成例を示す。演出制御基板（演出制御ＣＰＵ）２４は、操作ボタンによるボタン操作入力があったか監視し（ステップＳ７９１）、ボタン操作入力があった場合には（ステップＳ７９１：ＹＥＳ）、次に２ラウンドの大当り中か否かを判断する（ステップＳ７６１〜Ｓ７６３）。２ラウンドの大当り中である場合には（ステップＳ７６１〜Ｓ７６３のいずれかがＹＥＳ）、ボタン操作入力は無効なものとして扱い、何もせずに獲得球数表示条件判定処理を終了する。しかし２ラウンドの大当り中でない場合には（ステップＳ７６１〜Ｓ７６３のいずれもＮＯ）、ボタン操作入力を有効なものとして扱い、獲得球数表示用液晶データを設定し（ステップＳ７６５）、これにより獲得球数表示条件判定処理を終了する。この獲得球数表示用液晶データは、図１７のステップＳ５３６において、液晶制御コマンドありと判断され、ステップＳ５３７にて液晶制御コマンドの一部として液晶制御基板２５に送信され、獲得球数Ｖが画像表示される。
【０３２２】
図１９の（ニ）では、１５ラウンド大当り遊技中（ｔ５〜ｔ６、ｔ９〜ｔ１０）、大当り開始演出中Ｔａ（ｔ４〜ｔ５、ｔ８〜ｔ９）、大当り終了演出中Ｔｂ（ｔ６〜ｔ７、ｔ１０〜ｔ１２）、確変・時短状態中（ｔ７〜ｔ８）、時短状態中（ｔ１２〜ｔ１３）のうちの任意の区間において、獲得球数表示用の操作ボタンが操作され、これにより獲得球数カウンタに記憶保持されている最新の保持内容が獲得球数Ｖとして報知されることを示している。この形態では、遊技者が獲得球数を知りたいタイミングで液晶表示装置の画面に表示することができる。表示態様としては、ボタンが操作なされた時点の獲得球数Ｖを表示しても良いし、獲得球数Ｖがある所定値を超えたことを暗示するような表示態様であっても良い。たとえば獲得球数Ｖが０〜４９９個場合には「獲得球数計測中」という表示にし、５００〜９９９個の場合には「５００個突破！」、１０００〜１５００個の場合には「１０００個突破！」等という表示である。
【０３２３】
なお、この形態では、２ラウンドの大当り中以外の期間中ボタン操作で表示としたが、２ラウンド大当り中を含めた任意の区間（図１９のｔ４〜ｔ１３）において操作ボタンが操作された場合に、獲得球数を報知する構成としても良い。ボタン操作は遊技者の恣意的なものであり、遊技者が獲得球数を知得したいタイミングであれば連荘中の任意の区間で表示しても差し支えはないからである。
【０３２４】
（ホ）１５ラウンド大当り遊技が終了したことを条件にボタン操作で表示（図３０）
図１９の（ホ）は、上記（ニ）と同様に、獲得球数表示用の操作ボタンが操作されたとき、獲得球数カウンタに保持されている最新の保持内容を、遊技者が獲得した獲得球数Ｖとして報知する例である。
【０３２５】
図１９の（ホ）が上記（ニ）と異なる点は、獲得球数表示用の操作ボタンが操作されたタイミングが１５ラウンド大当り遊技終了後であることを条件としている点である。すなわち、１５ラウンド大当り遊技中が終了し、１５ラウンド大当り終了演出の区間（ｔ６〜ｔ７、ｔ１０〜ｔ１２）にて、獲得球数カウンタに記憶保持されている獲得球数を表示することになる。
【０３２６】
図３０に、この形態における獲得球数表示条件判定処理（図２０）の構成例を示す。演出制御基板２４は、操作ボタンによるボタン操作入力があったか監視し（ステップＳ７９１）、ボタン操作入力があった場合には（ステップＳ７９１：ＹＥＳ）、１５ラウンド大当り終了演出期間中であるか否かを判断し（ステップＳ７９３）、当該期間中ならば（ステップＳ７９３：ＹＥＳ）、ボタン操作入力を有効なものとして扱い、獲得球数表示用液晶データを設定する（ステップＳ７６５）。この獲得球数表示用液晶データは、図１７のステップＳ５３６において、液晶制御コマンドありと判断され、ステップＳ５３７にて液晶制御コマンドの一部として液晶制御基板２５に送信され、獲得球数Ｖが画像表示される。
【０３２７】
この形態では、１５ラウンド大当り遊技中が終了した時点（ｔ６、ｔ１０）の到来を待って、遊技者が獲得球数を知りたいタイミングで液晶表示装置の画面に表示することができる。本例の場合、最終ラウンド終了後、特殊遊技（時短状態等）突入前に表示できるようにしているので、大当り終了演出の一環として、獲得球数を表示することができる。
【０３２８】
（ヘ）時短状態終了後にボタン操作で表示（図３１）
図１９の（へ）は、時短状態が終了した後の任意の時点で獲得球数表示用の操作ボタンが操作されたとき、獲得球数保持手段に保持されている最新の保持内容、つまりその直前の連荘中に獲得された球数の総和を、遊技者が獲得した獲得球数Ｖとして報知する例である。この形態の場合は、時短終了後、すなわち通常遊技中であっても遊技者が過去の大当りや過去の連荘中における獲得球数を知りたいタイミングで液晶表示装置の画面に表示することができる。
【０３２９】
図３１に、この形態の場合の獲得球数計数処理の仕方を示す。ここでは時短終了時に獲得球数を記憶しておき、通常遊技中に獲得球数表示用の操作ボタンを操作することで、その記憶していた獲得球数を表示できるようにしている。
【０３３０】
演出制御基板（演出制御ＣＰＵ）２４は、大当り中でもなく、確変・時短状態中でもなく、時短状態中でもない場合（ステップＳ７０１〜Ｓ７０３のいずれもＮＯ）、潜伏確変状態中または通常遊技中であると判断し、今回の時短終了時までの獲得球数カウンタに記憶保持されている獲得球数、たとえば３２００個をＲＡＭに記憶する（ステップＳ８０１）。その後、獲得球数カウンタに記憶保持されている獲得球数（３２００個）をクリアする（ステップＳ８０２）。したがって、本例での獲得球数カウンタには、大当り中および開放延長中（時短状態中、確変時短状態中）における計数中の獲得球数を記憶保持する第１獲得球数カウンタ（第１獲得球数保持手段）と、今回の時短終了時までの獲得球数（本例では上記３２００個）を記憶保持する第２獲得球数カウンタ（第２獲得球数保持手段）とが含まれる。また第２獲得球数カウンタの値は、過去の履歴が残るように記憶保持しても良いし、時短状態が終了する度にその保持内容を更新しても良い。
【０３３１】
次いで、ステップＳ８０３の獲得球数表示判定処理に入る。図３２に、この形態における獲得球数表示条件判定処理（図２０）の構成例を示す。
【０３３２】
ここでは、獲得球数表示用の操作ボタンが操作された時点が、１５ラウンドの大当り中（ｔ４〜ｔ７、ｔ８〜ｔ１２）や確変・時短状態中（ｔ７〜ｔ８）や時短状態中（ｔ１２〜ｔ１３）の場合には、第１獲得球数カウンタの保持内容に基づいて獲得球数表示用液晶データを設定し、通常遊技中（ｔ１３以降）の場合には、第２獲得球数カウンタの保持内容に基づいて獲得球数表示用液晶データを設定する。
【０３３３】
具体的には、ステップＳ８０３の獲得球数表示判定処理に入ると、演出制御基板２４は、獲得球数表示用のボタン操作入力があったか否かを判断し（ステップＳ８１１）、ボタン操作入力があれば（ステップＳ８１１：ＹＥＳ）、２ラウンドの大当り中であるか否かを判断する（ステップＳ８１２〜Ｓ８１４）。２ラウンドの大当り中であれば（ステップＳ８１２〜Ｓ８１４のいずれかがＹＥＳ）、ボタン操作入力は無効なものとして扱い、そのまま何もせずに獲得球数表示条件判定処理を終了する。
【０３３４】
ボタン操作入力があった時点が２ラウンド大当り中でないならば（ステップＳ８１２〜Ｓ８１４のいずれもＮＯ）、次に現在の遊技状態が、１５ラウンドの大当り中か、確変時短状態中か、時短状態中かを順に判断する（ステップＳ８１５〜Ｓ８１７）。１５ラウンドの大当り中、確変時短状態中、時短状態中のいずれかである場合（ステップ８１５〜Ｓ８１７のいずれかでＹＥＳ）、ステップＳ８１９に進み、第１獲得球数カウンタの保持内容に基づいて獲得球数表示用液晶データを設定する（ステップＳ８１９）。
【０３３５】
２ラウンドの大当り中でもなく、１５ラウンドの大当り中でもなく、確変・時短状態中でもなく、時短状態中でもない場合は（ステップＳ８１２〜Ｓ８１７でいずれもＮＯ）、潜伏確変状態中または通常遊技中であると判断し、図３１のステップＳ８０１で記憶した第２獲得球数カウンタの保持内容（上記ＲＡＭに記憶した獲得球数である３２００個）に基づいて獲得球数表示用液晶データを設定し（ステップＳ８１８）、これにより獲得球数表示条件判断処理を終了する。
【０３３６】
この獲得球数表示用液晶データは、図１７のステップＳ５３６において、液晶制御コマンドありと判断され、ステップＳ５３７にて液晶制御コマンドの一部として液晶制御基板２５に送信され、獲得球数Ｖが画像表示される。
【０３３７】
［変形例］
上記した開放延長中獲得球数計数処理（図２２：ステップＳ７５１〜Ｓ７５６）では、開放延長中に発射される遊技球の数（打出損失球数）を推測する方法として、普通図柄が作動している期間に着目して監視対象区間を定めた。すなわち、普通図柄作動中に作動して計時動作を行う普通図柄作動中タイマを設け、当該タイマが計時をしている作動時間の累積値を監視し、６秒が経過する毎に、獲得球数から１０個を減算する処理（打出損失球数減算処理）を行った。
【０３３８】
しかし、この打出損失球数減算処理は、特別図柄が変動していなければ発射装置３２から遊技球が発射されていない可能性が大であり、特別図柄が変動していれば発射装置３２から遊技球が発射されている可能性が大であるという推測がなされるという点に着目し、上記した普通図柄作動中を監視する代わりに、特別図柄の変動中にのみ作動して計時動作を行う特別図柄変動中タイマを設け、当該タイマが計時をしている作動時間の累積値を監視し、６秒が経過する毎に、獲得球数から１０個を減算する処理に替えることもできる。この場合も普通図柄作動中を監視する場合と類似する効果を奏することができる。
【０３３９】
また、上記の打出損失球数減算処理は、上記した普通図柄の変動と特別図柄の変動の双方またはいずれか一方が変動している期間に着目し、その普通図柄または特別図柄の双方またはいずれかが変動している期間中にのみ作動して計時動作を行う図柄変動中タイマを設け、当該タイマが計時をしている作動時間の累積値を監視し、発射装置の発射性能を考慮して所定時間（たとえば６秒）が経過する毎に、獲得球数から所定個数（たとえば１０個）を減算する処理に替えることもできる。また、普通図柄が変動している期間中にのみ作動して計時動作を行なう普通図柄変動中タイマと特別図柄が変動している期間中にのみ作動して計時動作を行なう特別図柄変動中タイマとを設け、これらタイマが計時している作動時間の累積値を別々に監視し、上記普通図柄変動中タイマの累積値が第１の所定時間が経過する毎に、獲得球数から第１の所定個数を減算し、上記特別図柄変動中タイマの累積値が第２の所定時間が経過する毎に、獲得球数から第２の所定個数を減算する処理を行っても良い。この場合、前記第１の所定個数と前記第２の所定個数、または前記第１の所定時間と前記第２の所定時間とは、同じ値であっても良いし、異なる値であっても良い。
【０３４０】
さらにまた、ステップＳ７５１においては、普通図柄変動中であるか否かをチェックする代わりに、デモ演出用のデモ表示コマンドを受信しているか否かを判断し、デモ演出が行われていない期間中にのみ作動して計時動作を行うタイマを設け、当該タイマが計時をしている作動時間の累積値を監視し、６秒が経過する毎に、獲得球数から１０個を減算する処理に替えることもできる。
【産業上の利用可能性】
【０３４１】
本発明は、遊技者が獲得した獲得球数を報知する弾球遊技機に有用である。
【図面の簡単な説明】
【０３４２】
【図１】本発明に係る遊技機の外観を示す正面側の斜視図である。
【図２】本発明に係る遊技機の裏面側を示す斜視図である。
【図３】本発明に係る遊技機の遊技盤面を示す正面図である。
【図４】本発明に係る遊技機の制御部を示すブロック図である。
【図５】本発明に係る遊技機の主制御側メイン処理を示すフローチャートである。
【図６】本発明に係る遊技機の主制御側の割り込み処理を示すフローチャートである。
【図７】本発明に係る遊技機の普通図柄管理処理の前半を示すフローチャートである。
【図８】本発明に係る遊技機の普通図柄管理処理の後半を示すフローチャートである。
【図９】本発明に係る遊技機の普通変動入賞装置管理処理の前半を示すフローチャートである。
【図１０】本発明に係る遊技機の普通変動入賞装置管理処理の後半を示すフローチャートである。
【図１１】本発明に係る遊技機の特別図柄管理処理の前半を示すフローチャートである。
【図１２】本発明に係る遊技機の特別図柄管理処理の後半を示すフローチャートである。
【図１３】本発明に係る遊技機の特別変動入賞装置管理処理の前半を示すフローチャートである。
【図１４】本発明に係る遊技機の特別変動入賞装置管理処理の後半を示すフローチャートである。
【図１５】本発明に係る遊技機の演出制御側のメイン処理を示すフローチャートである。
【図１６】本発明に係る遊技機の演出制御側のコマンド受信割り込み処理を示すフローチャートである。
【図１７】本発明に係る遊技機の演出制御側のタイマ割り込み処理を示すフローチャートである。
【図１８】本発明に係る遊技機の演出制御側のコマンド解析処理を示すフローチャートである。
【図１９】本発明の一実施形態遊技形態の具体例を示したタイミング図である。
【図２０】本発明に係る遊技機の演出制御側の獲得球数計数処理を示すフローチャートである。
【図２１Ａ】本発明に係る演出制御側の大当り遊技中獲得球数計数処理の一形態を示すフローチャートである。
【図２１Ｂ】本発明に係る演出制御側の大当り遊技中獲得球数計数処理の他の形態を示すフローチャートである。
【図２２】本発明に係る演出制御側の開放延長中獲得球数計数処理を示すフローチャートである。
【図２３】本発明に係る液晶制御側の獲得球数表示処理を示すフローチャートである。
【図２４】本発明に係る遊技機の液晶表示装置に獲得球数をキャラクタと共に表示させる画像例を示した図である。
【図２５】本発明の獲得球数計数処理における獲得球数表示条件判定処理の一具体例（２ラウンド大当り中以外の期間で表示）を示したフローチャートである。
【図２６】本発明の獲得球数計数処理における獲得球数表示条件判定処理の他の具体例（１５ラウンド大当り遊技が終了したことを条件に表示）を示したフローチャートである。
【図２７】本発明の獲得球数計数処理における獲得球数表示条件判定処理の他の具体例（所定個数を超えた場合（所定個数を超える毎に）に、その所定個数を２ラウンド大当り中以外の期間で表示）を示したフローチャートである。
【図２８】本発明の獲得球数計数処理における獲得球数表示条件判定処理の他の具体例（所定個数を超えた場合（所定個数を超える毎に）に、その所定個数を１５ラウンド大当り遊技が終了したことを条件に表示）を示したフローチャートである。
【図２９】本発明の獲得球数計数処理における獲得球数表示条件判定処理の他の具体例（２ラウンド大当り中以外の期間にボタン操作で表示）を示したフローチャートである。
【図３０】本発明の獲得球数計数処理における獲得球数表示条件判定処理の他の具体例（１５ラウンド大当り遊技終了を条件にボタン操作で表示）を示したフローチャートである。
【図３１】本発明の獲得球数計数処理における獲得球数表示条件を判断する一具体例を示したフローチャートである。
【図３２】図３１の獲得球数計数処理における獲得球数表示条件判定処理（時短状態終了後にボタン操作で表示する）を示したフローチャートである。
【図３３】本発明の大当りの種類を例示した図である。
【符号の説明】
【０３４３】
１    遊技機、
２    前面枠、
３    遊技盤、
３ａ    遊技領域、
４    外枠、
５    ガイドレール、
６    ガラス扉枠、
７    前面操作パネル、
８    上受け皿ユニット、
９    上受け皿、
１１    球貸しボタン、
１２    カード排出釦（返却釦）、
１３    枠演出ボタン、
１４    球抜きボタン、
１５    発射操作ハンドル、
１６    裏機構盤、
１７    遊技球貯留タンク、
１８    タンクレール、
１９    遊技球払出装置、
２１    外部端子基板、
２２    端子基板ケース
２３    透明ケース（副制御基板ケース）、
２４    演出制御基板、
２５    液晶制御基板、
２６    透明ケース（主制御基板ケース）、
２７    主制御基板、
２８    透明ケース（払出制御基板ケース）、
２９    払出制御基板、
３０    透明ケース（電源基板ケース）、
３１    電源基板、
３２    発射装置、
３３    発射制御基板、
３４    上始動口（第１の特別図柄始動口）
３５    下始動口（第２の特別図柄始動口）、
３６    液晶表示装置（画像表示装置）、
３７    普通図柄始動口、
３８    特別図柄表示装置、
３９    普通図柄表示装置、
４０    大入賞口、
４１    普通変動入賞装置、
４２    特別変動入賞装置、
４３    一般入賞口、
４４    風車、
４５    装飾ランプ、
４６    サイドランプ、
４７    可動翼片、
４８    センター飾り、
４９    アウト口、
５５    遊技中継基板、
５６    演出Ｉ／Ｆ基板、
５７    液晶Ｉ／Ｆ基板、
５８    スピーカ。
【図１】
2010075436.tif 000003
【図２】
2010075436.tif 000004
【図３】
2010075436.tif 000005
【図４】
2010075436.tif 000006
【図５】
2010075436.tif 000007
【図６】
2010075436.tif 000008
【図７】
2010075436.tif 000009
【図８】
2010075436.tif 000010
【図９】
2010075436.tif 000011
【図１０】
2010075436.tif 000012
【図１１】
2010075436.tif 000013
【図１２】
2010075436.tif 000014
【図１３】
2010075436.tif 000015
【図１４】
2010075436.tif 000016
【図１５】
2010075436.tif 000017
【図１６】
2010075436.tif 000018
【図１７】
2010075436.tif 000019
【図１８】
2010075436.tif 000020
【図１９】
2010075436.tif 000021
【図２０】
2010075436.tif 000022
【図２１Ａ】
2010075436.tif 000023
【図２１Ｂ】
2010075436.tif 000024
【図２２】
2010075436.tif 000025
【図２３】
2010075436.tif 000026
【図２４】
2010075436.tif 000027
【図２５】
2010075436.tif 000028
【図２６】
2010075436.tif 000029
【図２７】
2010075436.tif 000030
【図２８】
2010075436.tif 000031
【図２９】
2010075436.tif 000032
【図３０】
2010075436.tif 000033
【図３１】
2010075436.tif 000034
【図３２】
2010075436.tif 000035
【図３３】
2010075436.tif 000036